(57)【特許請求の範囲】
【請求項１】
アグリゲートキャリアの制御情報を通信するための方法であって、
複数のアグリゲートキャリアのための１つまたは複数の割当てを受信することであって、前記複数のアグリゲートキャリアのうちの少なくとも１つが、前記複数のアグリゲートキャリアのうちの少なくとも別の１つとは異なるサブフレーム構成を有する時分割複信（ＴＤＤ）キャリアである、受信することと、
前記複数のアグリゲートキャリアのサブフレーム利用可能性に少なくとも部分的に基づいて、前記複数のアグリゲートキャリアの制御情報をその上で通信すべき前記複数のアグリゲートキャリアのうちの１つを判断することと、
前記複数のアグリゲートキャリアのうちの前記判断された１つの上で前記複数のアグリゲートキャリアの前記制御情報を少なくとも１つのサブフレームを介して通信することとを備える方法。
【請求項２】
前記複数のアグリゲートキャリアのうちの前記１つを前記判断することは、
前記複数のアグリゲートキャリア中のキャリアが、前記複数のアグリゲートキャリア中の残りのキャリアの追加のアップリンクサブフレームのスーパーセットであるアップリンクサブフレームを含むかどうかを判断することと、
前記キャリアが前記アップリンクサブフレームを含むと判断されると、前記キャリアを、前記制御情報をその上で通信すべき前記複数のアグリゲートキャリアのうちの前記１つとして選択することとを備える、請求項１に記載の方法。
【請求項３】
前記複数のアグリゲートキャリアが少なくとも１つの周波数分割複信（ＦＤＤ）キャリアをも備える、請求項２に記載の方法。
【請求項４】
前記複数のアグリゲートキャリアのうちの前記１つを前記判断することが、前記少なくとも１つのＦＤＤキャリアを、制御情報をその上で通信すべき前記複数のアグリゲートキャリアのうちの前記１つとして選択することを備える、請求項３に記載の方法。
【請求項５】
サブフレーム中で受信されたダウンリンク送信の数を備えるダウンリンク割当てインデックスを受信することをさらに備える、請求項４に記載の方法。
【請求項６】
前記複数のアグリゲートキャリアのうちの前記１つを前記判断することは、
前記複数のアグリゲートキャリア中のキャリアが前記少なくとも１つのサブフレーム中にアップリンク送信のために利用可能であるかどうかを判断することと、
前記キャリアがアップリンク送信のために利用可能であると判断されると、前記キャリアを、制御情報をその上で通信すべき前記複数のアグリゲートキャリアのうちの前記１つとして選択することとを備える、請求項１に記載の方法。
【請求項７】
前記複数のアグリゲートキャリアのうちの前記１つを前記判断することは、前記複数のアグリゲートキャリアのうちの残りのキャリアが前記少なくとも１つのサブフレーム中にアップリンク送信のために利用可能であるかどうかを判断することをさらに備える、請求項６に記載の方法。
【請求項８】
前記複数のアグリゲートキャリアのうちの前記１つを前記判断することが、前記少なくとも１つのサブフレーム中にアップリンク送信のために利用可能である前記残りのキャリア上で前記複数のアグリゲートキャリアのうちの前記１つを選択するための受信された指示および／または命令に少なくとも部分的に基づく、請求項７に記載の方法。
【請求項９】
前記複数のアグリゲートキャリアのうちの前記１つを前記判断することが、前記複数のアグリゲートキャリアのうちの各キャリアの優先順位またはインデックスを比較することに少なくとも部分的にさらに基づく、請求項７に記載の方法。
【請求項１０】
前記複数のアグリゲートキャリアのうちの前記１つを前記判断することが、無線リソース構成にさらに基づく、請求項１に記載の方法。
【請求項１１】
前記複数のアグリゲートキャリアのうちの前記１つを前記判断することが、ワークロードにさらに基づく、請求項１に記載の方法。
【請求項１２】
前記複数のアグリゲートキャリアのうちの前記判断された１つに前記複数のアグリゲートキャリアのＨＡＲＱデータをマッピングすることをさらに備える、請求項１に記載の方法。
【請求項１３】
前記少なくとも１つのサブフレーム中で制御情報をその上で通信すべき前記複数のアグリゲートキャリアのうちの別の１つを判断することをさらに備え、前記複数のアグリゲートキャリアのうちの前記別の１つを前記判断することは、
前記複数のアグリゲートキャリア中のキャリアが前記少なくとも１つのサブフレーム中にダウンリンク送信のために利用可能であるかどうかを判断することと、
前記キャリアがダウンリンク送信のために利用可能であると判断されると、前記キャリアを、前記制御情報をその上で通信すべき前記複数のアグリゲートキャリアのうちの前記別の１つとして選択することとを備える、請求項６に記載の方法。
【請求項１４】
アップリンク送信のために利用可能な前記複数のアグリゲートキャリアのうちの前記判断された１つが、ダウンリンク送信のために利用可能な前記複数のアグリゲートキャリアのうちの前記判断された別の１つとは異なる、請求項１３に記載の方法。
【請求項１５】
前記少なくとも１つのサブフレームが少なくとも２つのサブフレームを備え、前記複数のアグリゲートキャリアのうちの前記１つを前記判断することが、第１のサブフレーム中の通信について判断することを備え、前記複数のアグリゲートキャリアのうちの前記別の１つを前記判断することが、第２のサブフレーム中の通信について判断することを備える、請求項１３に記載の方法。
【請求項１６】
アグリゲートキャリアの制御情報を通信するための装置であって、
複数のアグリゲートキャリアのための１つまたは複数の割当てを受信するための手段であって、前記複数のアグリゲートキャリアのうちの少なくとも１つが、前記複数のアグリゲートキャリアのうちの少なくとも別の１つとは異なるサブフレーム構成を有する時分割複信（ＴＤＤ）キャリアである、受信するための手段と、
前記複数のアグリゲートキャリアのサブフレーム利用可能性に少なくとも部分的に基づいて、前記複数のアグリゲートキャリアの制御情報をその上で通信すべき前記複数のアグリゲートキャリアのうちの１つを判断するための手段と、
前記複数のアグリゲートキャリアのうちの前記判断された１つの上で前記複数のアグリゲートキャリアの前記制御情報を少なくとも１つのサブフレームを介して通信するための手段とを備える装置。
【請求項１７】
前記複数のアグリゲートキャリアのうちの前記１つを判断するための前記手段は、
前記複数のアグリゲートキャリア中のキャリアが、前記複数のアグリゲートキャリア中の残りのキャリアの追加のアップリンクサブフレームのスーパーセットであるアップリンクサブフレームを含むかどうかを判断することと、
前記キャリアが前記アップリンクサブフレームを含むと判断されると、前記キャリアを、前記制御情報をその上で通信すべき前記複数のアグリゲートキャリアのうちの前記１つとして選択することとを行うように構成された、請求項１６に記載の装置。
【請求項１８】
前記複数のアグリゲートキャリアが少なくとも１つの周波数分割複信（ＦＤＤ）キャリアを備える、請求項１７に記載の装置。
【請求項１９】
前記複数のアグリゲートキャリアのうちの前記１つを判断するための前記手段が、前記少なくとも１つのＦＤＤキャリアを、制御情報をその上で通信すべき前記複数のアグリゲートキャリアのうちの前記１つとして選択するように構成された、請求項１８に記載の装置。
【請求項２０】
受信するための前記手段が、サブフレーム中で受信されたダウンリンク送信の数を備えるダウンリンク割当てインデックスを受信するように構成された、請求項１９に記載の装置。
【請求項２１】
前記複数のアグリゲートキャリアのうちの前記１つを判断するための前記手段は、
前記複数のアグリゲートキャリア中のキャリアが前記少なくとも１つのサブフレーム中にアップリンク送信のために利用可能であるかどうかを判断することと、
前記キャリアがアップリンク送信のために利用可能であると判断されると、前記キャリアを、制御情報をその上で通信すべき前記複数のアグリゲートキャリアのうちの前記１つとして選択することとを行うように構成された、請求項１６に記載の装置。
【請求項２２】
前記複数のアグリゲートキャリアのうちの前記１つを判断するための前記手段は、前記複数のアグリゲートキャリアのうちの残りのキャリアが前記少なくとも１つのサブフレーム中にアップリンク送信のために利用可能であるかどうかに少なくとも部分的にさらに基づいて判断するように構成された、請求項２１に記載の装置。
【請求項２３】
前記複数のアグリゲートキャリアのうちの前記１つを判断するための前記手段が、前記少なくとも１つのサブフレーム中にアップリンク送信のために利用可能である前記残りのキャリア上で前記複数のアグリゲートキャリアのうちの前記１つを選択するための受信された指示および／または命令に少なくとも部分的にさらに基づいて判断するように構成された、請求項２２に記載の装置。
【請求項２４】
前記複数のアグリゲートキャリアのうちの前記１つを判断するための前記手段が、前記複数のアグリゲートキャリアのうちの各キャリアの優先順位またはインデックスを比較することに少なくとも部分的によってさらに判断するように構成された、請求項２２に記載の装置。
【請求項２５】
前記複数のアグリゲートキャリアのうちの前記１つを判断するための前記手段が、無線リソース構成にさらに基づいて判断するように構成された、請求項１６に記載の装置。
【請求項２６】
前記複数のアグリゲートキャリアのうちの前記１つを判断するための前記手段が、ワークロードにさらに基づいて判断するように構成された、請求項１６に記載の装置。
【請求項２７】
前記複数のアグリゲートキャリアのうちの前記判断された１つに前記複数のアグリゲートキャリアのＨＡＲＱデータをマッピングするための手段をさらに備える、請求項１６に記載の装置。
【請求項２８】
前記少なくとも１つのサブフレーム中で制御情報をその上で通信すべき前記複数のアグリゲートキャリアのうちの別の１つを判断するための手段をさらに備え、前記複数のアグリゲートキャリアのうちの前記別の１つを判断するための前記手段は、
前記複数のアグリゲートキャリア中のキャリアが前記少なくとも１つのサブフレーム中にダウンリンク送信のために利用可能であるかどうかを判断することと、
前記キャリアがダウンリンク送信のために利用可能であると判断されると、前記キャリアを、前記制御情報をその上で通信すべき前記複数のアグリゲートキャリアのうちの前記別の１つとして選択することとを行うように構成された、請求項２１に記載の装置。
【請求項２９】
アップリンク送信のために利用可能な前記複数のアグリゲートキャリアのうちの前記判断された１つが、ダウンリンク送信のために利用可能な前記複数のアグリゲートキャリアのうちの前記判断された別の１つとは異なる、請求項２８に記載の装置。
【請求項３０】
前記少なくとも１つのサブフレームが少なくとも２つのサブフレームを備え、前記複数のアグリゲートキャリアのうちの前記１つを判断するための前記手段が、第１のサブフレーム中の通信について判断するように構成され、前記複数のアグリゲートキャリアのうちの前記別の１つを判断するための前記手段が、第２のサブフレーム中の通信について判断するように構成された、請求項２８に記載の装置。
【請求項３１】
複数のアグリゲートキャリアのための１つまたは複数の割当てを受信することをコンピュータに行わせるためのコードであって、前記複数のアグリゲートキャリアのうちの少なくとも１つが、前記複数のアグリゲートキャリアのうちの少なくとも別の１つとは異なるサブフレーム構成を有する時分割複信（ＴＤＤ）キャリアである、コードと、
前記複数のアグリゲートキャリアのサブフレーム利用可能性に少なくとも部分的に基づいて、前記複数のアグリゲートキャリアの制御情報をその上で通信すべき前記複数のアグリゲートキャリアのうちの１つを判断することを前記コンピュータに行わせるためのコードと、
前記複数のアグリゲートキャリアのうちの前記判断された１つの上で前記複数のアグリゲートキャリアの前記制御情報を少なくとも１つのサブフレームを介して通信することを前記コンピュータに行わせるためのコードとを備える非一時的コンピュータ可読記憶媒体。
【請求項３２】
前記複数のアグリゲートキャリアのうちの前記１つを判断することを前記コンピュータに行わせるための前記コードは、
前記複数のアグリゲートキャリア中のキャリアが、前記複数のアグリゲートキャリア中の残りのキャリアの追加のアップリンクサブフレームのスーパーセットであるアップリンクサブフレームを含むかどうかを判断することと、
前記キャリアが前記アップリンクサブフレームを含むと判断されると、前記キャリアを、前記制御情報をその上で通信すべき前記複数のアグリゲートキャリアのうちの前記１つとして選択することとを前記コンピュータに行わせるためのコードを備える、請求項３１に記載の非一時的コンピュータ可読記憶媒体。
【請求項３３】
前記複数のアグリゲートキャリアが少なくとも１つの周波数分割複信（ＦＤＤ）キャリアを備える、請求項３２に記載の非一時的コンピュータ可読記憶媒体。
【請求項３４】
前記複数のアグリゲートキャリアのうちの前記１つを判断することを前記コンピュータに行わせるための前記コードが、前記少なくとも１つのＦＤＤキャリアを、制御情報をその上で通信すべき前記複数のアグリゲートキャリアのうちの前記１つとして選択することを前記コンピュータに行わせるためのコードを備える、請求項３３に記載の非一時的コンピュータ可読記憶媒体。
【請求項３５】
サブフレーム中で受信されたダウンリンク送信の数を備えるダウンリンク割当てインデックスを受信することを前記コンピュータに行わせるためのコードをさらに備える、請求項３４に記載の非一時的コンピュータ可読記憶媒体。
【請求項３６】
前記複数のアグリゲートキャリアのうちの前記１つを判断することを前記コンピュータに行わせるための前記コードは、
前記複数のアグリゲートキャリア中のキャリアが前記少なくとも１つのサブフレーム中にアップリンク送信のために利用可能であるかどうかを判断することと、
前記キャリアがアップリンク送信のために利用可能であると判断されると、前記キャリアを、制御情報をその上で通信すべき前記複数のアグリゲートキャリアのうちの前記１つとして選択することとを前記コンピュータに行わせるためのコードを備える、請求項３１に記載の非一時的コンピュータ可読記憶媒体。
【請求項３７】
前記複数のアグリゲートキャリアのうちの前記１つを判断することを前記コンピュータに行わせるための前記コードは、前記複数のアグリゲートキャリアのうちの残りのキャリアが前記少なくとも１つのサブフレーム中にアップリンク送信のために利用可能であるかどうかに少なくとも部分的にさらに基づいて判断することを前記コンピュータに行わせるためのコードを備える、請求項３６に記載の非一時的コンピュータ可読記憶媒体。
【請求項３８】
前記複数のアグリゲートキャリアのうちの前記１つを判断することを前記コンピュータに行わせるための前記コードが、前記少なくとも１つのサブフレーム中にアップリンク送信のために利用可能である前記残りのキャリア上で前記複数のアグリゲートキャリアのうちの前記１つを選択するための受信された指示および／または命令に少なくとも部分的にさらに基づいて判断することを前記コンピュータに行わせるためのコードを備える、請求項３７に記載の非一時的コンピュータ可読記憶媒体。
【請求項３９】
前記複数のアグリゲートキャリアのうちの前記１つを判断することを前記コンピュータに行わせるための前記コードが、前記複数のアグリゲートキャリアのうちの各キャリアの優先順位またはインデックスを比較することに少なくとも部分的によってさらに判断することを前記コンピュータに行わせるためのコードを備える、請求項３７に記載の非一時的コンピュータ可読記憶媒体。
【請求項４０】
前記複数のアグリゲートキャリアのうちの前記１つを判断することを前記コンピュータに行わせるための前記コードが、無線リソース構成にさらに基づいて判断することを前記コンピュータに行わせるためのコードを備える、請求項３１に記載の非一時的コンピュータ可読記憶媒体。
【請求項４１】
前記複数のアグリゲートキャリアのうちの前記１つを判断することを前記コンピュータに行わせるための前記コードが、ワークロードにさらに基づいて判断することを前記コンピュータに行わせるためのコードを備える、請求項３１に記載の非一時的コンピュータ可読記憶媒体。
【請求項４２】
前記複数のアグリゲートキャリアのうちの前記判断された１つに前記複数のアグリゲートキャリアのＨＡＲＱデータをマッピングすることを前記コンピュータに行わせるためのコードをさらに備える、請求項３１に記載の非一時的コンピュータ可読記憶媒体。
【請求項４３】
前記少なくとも１つのサブフレーム中で制御情報をその上で通信すべき前記複数のアグリゲートキャリアのうちの別の１つを判断することを前記コンピュータに行わせるためのコードをさらに備え、前記複数のアグリゲートキャリアのうちの前記別の１つを判断することを前記コンピュータに行わせるための前記コードは、
前記複数のアグリゲートキャリア中のキャリアが前記少なくとも１つのサブフレーム中にダウンリンク送信のために利用可能であるかどうかを判断することと、
前記キャリアがダウンリンク送信のために利用可能であると判断されると、前記キャリアを、前記制御情報をその上で通信すべき前記複数のアグリゲートキャリアのうちの前記別の１つとして選択することとを前記コンピュータに行わせるためのコードを備える、請求項３６に記載の非一時的コンピュータ可読記憶媒体。
【請求項４４】
アップリンク送信のために利用可能な前記複数のアグリゲートキャリアのうちの前記判断された１つが、ダウンリンク送信のために利用可能な前記複数のアグリゲートキャリアのうちの前記判断された別の１つとは異なる、請求項４３に記載の非一時的コンピュータ可読記憶媒体。
【請求項４５】
前記少なくとも１つのサブフレームが少なくとも２つのサブフレームを備え、前記複数のアグリゲートキャリアのうちの前記１つを判断することを前記コンピュータに行わせるための前記コードが、第１のサブフレーム中の通信について判断することを前記コンピュータに行わせるためのコードを備え、前記複数のアグリゲートキャリアのうちの前記別の１つを判断することを前記コンピュータに行わせるための前記コードが、第２のサブフレーム中の通信について判断することを前記コンピュータに行わせるためのコードを備える、請求項４３に記載の非一時的コンピュータ可読記憶媒体。
【請求項４６】
少なくとも１つのプロセッサと、
前記少なくとも１つのプロセッサに結合されたメモリと
を備える、アグリゲートキャリアの制御情報を通信するためのユーザ機器（ＵＥ）であって、前記少なくとも１つのプロセッサは、
複数のアグリゲートキャリアのための１つまたは複数の割当てを受信することであって、前記複数のアグリゲートキャリアのうちの少なくとも１つが、前記複数のアグリゲートキャリアのうちの少なくとも別の１つとは異なるサブフレーム構成を有する時分割複信（ＴＤＤ）キャリアである、受信することと、
前記複数のアグリゲートキャリアのサブフレーム利用可能性に少なくとも部分的に基づいて、前記複数のアグリゲートキャリアの制御情報をその上で通信すべき前記複数のアグリゲートキャリアのうちの１つを判断することと、
前記複数のアグリゲートキャリアのうちの前記判断された１つの上で前記複数のアグリゲートキャリアの前記制御情報を少なくとも１つのサブフレームを介して通信することとを行うように構成された、ＵＥ。
【請求項４７】
前記複数のアグリゲートキャリアのうちの前記１つを前記判断することは、
前記複数のアグリゲートキャリア中のキャリアが、前記複数のアグリゲートキャリア中の残りのキャリアの追加のアップリンクサブフレームのスーパーセットであるアップリンクサブフレームを含むかどうかを判断することと、
前記キャリアが前記アップリンクサブフレームを含むと判断されると、前記キャリアを、前記制御情報をその上で通信すべき前記複数のアグリゲートキャリアのうちの前記１つとして選択することとを備える、請求項４６に記載のＵＥ。
【請求項４８】
前記複数のアグリゲートキャリアが少なくとも１つの周波数分割複信（ＦＤＤ）キャリアを備える、請求項４７に記載のＵＥ。
【請求項４９】
前記複数のアグリゲートキャリアのうちの前記１つを判断することが、前記少なくとも１つのＦＤＤキャリアを、制御情報をその上で通信すべき前記複数のアグリゲートキャリアのうちの前記１つとして選択することを備える、請求項４８に記載のＵＥ。
【請求項５０】
前記少なくとも１つのプロセッサが、サブフレーム中で受信されたダウンリンク送信の数を備えるダウンリンク割当てインデックスを受信するようにさらに構成された、請求項４９に記載のＵＥ。
【請求項５１】
前記複数のアグリゲートキャリアのうちの前記１つを前記判断することは、
前記複数のアグリゲートキャリア中のキャリアが前記少なくとも１つのサブフレーム中にアップリンク送信のために利用可能であるかどうかを判断することと、
前記キャリアがアップリンク送信のために利用可能であると判断されると、前記キャリアを、制御情報をその上で通信すべき前記複数のアグリゲートキャリアのうちの前記１つとして選択することとを備える、請求項４６に記載のＵＥ。
【請求項５２】
前記複数のアグリゲートキャリアのうちの前記１つを判断することは、前記複数のアグリゲートキャリアのうちの残りのキャリアが前記少なくとも１つのサブフレーム中にアップリンク送信のために利用可能であるかどうかに少なくとも部分的にさらに基づいて判断することを備える、請求項５１に記載のＵＥ。
【請求項５３】
前記複数のアグリゲートキャリアのうちの前記１つを判断することが、前記少なくとも１つのサブフレーム中にアップリンク送信のために利用可能である前記残りのキャリア上で前記複数のアグリゲートキャリアのうちの前記１つを選択するための受信された指示および／または命令に少なくとも部分的にさらに基づいて判断することを備える、請求項５２に記載のＵＥ。
【請求項５４】
前記複数のアグリゲートキャリアのうちの前記１つを判断することが、前記複数のアグリゲートキャリアのうちの各キャリアの優先順位またはインデックスを比較することに少なくとも部分的によってさらに判断することを備える、請求項５２に記載のＵＥ。
【請求項５５】
前記複数のアグリゲートキャリアのうちの前記１つを判断することが、無線リソース構成にさらに基づいて判断することを備える、請求項４６に記載のＵＥ。
【請求項５６】
前記複数のアグリゲートキャリアのうちの前記１つを判断することが、ワークロードにさらに基づいて判断することを備える、請求項４６に記載のＵＥ。
【請求項５７】
前記少なくとも１つのプロセッサが、前記複数のアグリゲートキャリアのうちの前記判断された１つに前記複数のアグリゲートキャリアのＨＡＲＱデータをマッピングするようにさらに構成された、請求項４６に記載のＵＥ。
【請求項５８】
前記少なくとも１つのプロセッサが、前記少なくとも１つのサブフレーム中で制御情報をその上で通信すべき前記複数のアグリゲートキャリアのうちの別の１つを判断するようにさらに構成され、前記複数のアグリゲートキャリアのうちの前記別の１つを前記判断することは、
前記複数のアグリゲートキャリア中のキャリアが前記少なくとも１つのサブフレーム中にダウンリンク送信のために利用可能であるかどうかを判断することと、
前記キャリアがダウンリンク送信のために利用可能であると判断されると、前記キャリアを、前記制御情報をその上で通信すべき前記複数のアグリゲートキャリアのうちの前記別の１つとして選択することとを備える、請求項５１に記載のＵＥ。
【請求項５９】
アップリンク送信のために利用可能な前記複数のアグリゲートキャリアのうちの前記判断された１つが、ダウンリンク送信のために利用可能な前記複数のアグリゲートキャリアのうちの前記判断された別の１つとは異なる、請求項５８に記載のＵＥ。
【請求項６０】
前記少なくとも１つのサブフレームが少なくとも２つのサブフレームを備え、前記複数のアグリゲートキャリアのうちの前記１つを判断することが、第１のサブフレーム中の通信について判断することを備え、前記複数のアグリゲートキャリアのうちの前記別の１つを判断することが、第２のサブフレーム中の通信について判断することを備える、請求項５８に記載のＵＥ。
【請求項６１】
アグリゲートキャリアの制御情報を通信するためのワイヤレス通信デバイスであって、
プロセッサと、
前記プロセッサと電子通信しているメモリと、
前記メモリに記憶された命令であって、前記命令は、
複数のアグリゲートキャリアのための１つまたは複数の割当てを受信することであって、前記複数のアグリゲートキャリアのうちの少なくとも１つが、前記複数のアグリゲートキャリアのうちの少なくとも別の１つとは異なるサブフレーム構成を有する時分割複信（ＴＤＤ）キャリアである、受信することと、
前記複数のアグリゲートキャリアのサブフレーム利用可能性に少なくとも部分的に基づいて、前記複数のアグリゲートキャリアの制御情報をその上で通信すべき前記複数のアグリゲートキャリアのうちの１つを判断することと、
前記複数のアグリゲートキャリアのうちの前記判断された１つの上で前記複数のアグリゲートキャリアの前記制御情報を少なくとも１つのサブフレームを介して通信することと
を行うように前記プロセッサによって実行可能である、命令と
を備えるワイヤレス通信デバイス。
【請求項６２】
前記複数のアグリゲートキャリアのうちの前記１つを判断するように前記プロセッサによって実行可能な前記命令は、
前記複数のアグリゲートキャリア中のキャリアが、前記複数のアグリゲートキャリア中の残りのキャリアの追加のアップリンクサブフレームのスーパーセットであるアップリンクサブフレームを含むかどうかを判断することと、
前記キャリアが前記アップリンクサブフレームを含むと判断されると、前記キャリアを、前記制御情報をその上で通信すべき前記複数のアグリゲートキャリアのうちの前記１つとして選択することとを行うための命令を備える、請求項６１に記載のワイヤレス通信デバイス。
【請求項６３】
前記複数のアグリゲートキャリアが少なくとも１つの周波数分割複信（ＦＤＤ）キャリアを備える、請求項６２に記載のワイヤレス通信デバイス。
【請求項６４】
前記複数のアグリゲートキャリアのうちの前記１つを判断するように前記プロセッサによって実行可能な前記命令が、前記少なくとも１つのＦＤＤキャリアを、制御情報をその上で通信すべき前記複数のアグリゲートキャリアのうちの前記１つとして選択するための命令を備える、請求項６３に記載のワイヤレス通信デバイス。
【請求項６５】
前記命令が、サブフレーム中で受信されたダウンリンク送信の数を備えるダウンリンク割当てインデックスを受信するように前記プロセッサによってさらに実行可能である、請求項６４に記載のワイヤレス通信デバイス。
【請求項６６】
前記複数のアグリゲートキャリアのうちの前記１つを判断するように前記プロセッサによって実行可能な前記命令は、
前記複数のアグリゲートキャリア中のキャリアが前記少なくとも１つのサブフレーム中にアップリンク送信のために利用可能であるかどうかを判断することと、
前記キャリアがアップリンク送信のために利用可能であると判断されると、前記キャリアを、制御情報をその上で通信すべき前記複数のアグリゲートキャリアのうちの前記１つとして選択することとを行うための命令を備える、請求項６１に記載のワイヤレス通信デバイス。
【請求項６７】
前記複数のアグリゲートキャリアのうちの前記１つを判断するように前記プロセッサによって実行可能な前記命令は、前記複数のアグリゲートキャリアのうちの残りのキャリアが前記少なくとも１つのサブフレーム中にアップリンク送信のために利用可能であるかどうかに少なくとも部分的にさらに基づいて判断するための命令を備える、請求項６６に記載のワイヤレス通信デバイス。
【請求項６８】
前記複数のアグリゲートキャリアのうちの前記１つを判断するように前記プロセッサによって実行可能な前記命令が、前記少なくとも１つのサブフレーム中にアップリンク送信のために利用可能である前記残りのキャリア上で前記複数のアグリゲートキャリアのうちの前記１つを選択するための受信された指示および／または命令に少なくとも部分的にさらに基づいて判断するための命令を備える、請求項６７に記載のワイヤレス通信デバイス。
【請求項６９】
前記複数のアグリゲートキャリアのうちの前記１つを判断するように前記プロセッサによって実行可能な前記命令が、前記複数のアグリゲートキャリアのうちの前記１つの優先順位またはインデックスを前記複数のアグリゲートキャリアのうちの前記残りのキャリアと比較することに少なくとも部分的によってさらに判断するための命令を備える、請求項６７に記載のワイヤレス通信デバイス。
【請求項７０】
前記複数のアグリゲートキャリアのうちの前記１つを判断するように前記プロセッサによって実行可能な前記命令が、無線リソース構成にさらに基づいて判断するための命令を備える、請求項６１に記載のワイヤレス通信デバイス。
【請求項７１】
前記複数のアグリゲートキャリアのうちの前記１つを判断するように前記プロセッサによって実行可能な前記命令が、ワークロードにさらに基づいて判断するための命令を備える、請求項６１に記載のワイヤレス通信デバイス。
【請求項７２】
前記命令が、前記複数のアグリゲートキャリアのうちの前記判断された１つに前記複数のアグリゲートキャリアのＨＡＲＱデータをマッピングするように前記プロセッサによってさらに実行可能である、請求項６１に記載のワイヤレス通信デバイス。
【請求項７３】
前記命令が、前記少なくとも１つのサブフレーム中で制御情報をその上で通信すべき前記複数のアグリゲートキャリアのうちの別の１つを判断するように前記プロセッサによってさらに実行可能であり、前記複数のアグリゲートキャリアのうちの前記別の１つを判断するように前記プロセッサによって実行可能な前記命令は、
前記複数のアグリゲートキャリア中のキャリアが前記少なくとも１つのサブフレーム中にダウンリンク送信のために利用可能であるかどうかを判断することと、
前記キャリアがダウンリンク送信のために利用可能であると判断されると、前記キャリアを、前記制御情報をその上で通信すべき前記複数のアグリゲートキャリアのうちの前記別の１つとして選択することとを行うための命令を備える、請求項６６に記載のワイヤレス通信デバイス。
【請求項７４】
アップリンク送信のために利用可能な前記複数のアグリゲートキャリアのうちの前記判断された１つが、ダウンリンク送信のために利用可能な前記複数のアグリゲートキャリアのうちの前記判断された別の１つとは異なる、請求項７３に記載のワイヤレス通信デバイス。
【請求項７５】
前記少なくとも１つのサブフレームが少なくとも２つのサブフレームを備え、前記複数のアグリゲートキャリアのうちの前記１つを判断するように前記プロセッサによって実行可能な前記命令が、第１のサブフレーム中の通信について判断するための命令を備え、前記複数のアグリゲートキャリアのうちの前記別の１つを判断するように前記プロセッサによって実行可能な命令が、第２のサブフレーム中の通信について判断するための命令を備える、請求項７３に記載のワイヤレス通信デバイス。
【発明の詳細な説明】
【技術分野】
【０００１】
本特許出願は、本出願の譲受人に譲渡され、参照によりその全体が本明細書に明確に組み込まれる、２０１１年７月２８日に出願された「METHOD AND APPARATUS FOR SIGNALING CONTROL DATA OF AGGREGATED CARRIERS」と題する仮出願第６１／５１２，８２５号の優先権を主張する。
【０００２】
本開示の態様は、一般にワイヤレス通信システムとキャリアアグリゲーションとに関する。
【背景技術】
【０００３】
ワイヤレス通信ネットワークは、ボイス、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、いくつかのユーザ機器（ＵＥ：user equipment）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【発明の概要】
【０００５】
本明細書では、アグリゲートキャリアに関係する制御データまたは制御情報を通信するための技法について説明する。
【０００６】
一態様では、アグリゲートキャリアの制御情報を通信するための方法が提供される。本方法は、複数のアグリゲートキャリアのための１つまたは複数の割当てを受信することであって、複数のアグリゲートキャリアのうちの少なくとも１つが、複数のアグリゲートキャリアのうちの少なくとも別の１つとは異なるサブフレーム構成を有する時分割複信（ＴＤＤ）キャリアである、受信することを含む。本方法はまた、複数のアグリゲートキャリアのサブフレーム利用可能性に少なくとも部分的に基づいて、制御情報をその上で通信すべき複数のアグリゲートキャリアのうちの１つを判断することを含む。本方法はまた、複数のアグリゲートキャリアのうちの判断された１つの上で複数のアグリゲートキャリアの制御情報を少なくとも１つのサブフレームを介して通信することを含む。
【０００７】
別の態様によれば、アグリゲートキャリアの制御情報を通信するための装置が提供される。本装置は、複数のアグリゲートキャリアのための１つまたは複数の割当てを受信するための手段であって、複数のアグリゲートキャリアのうちの少なくとも１つが、複数のアグリゲートキャリアのうちの少なくとも別の１つとは異なるサブフレーム構成を有する時分割複信（ＴＤＤ）キャリアである、受信するための手段を含む。本装置はまた、複数のアグリゲートキャリアのサブフレーム利用可能性に少なくとも部分的に基づいて、制御情報をその上で通信すべき複数のアグリゲートキャリアのうちの１つを判断するための手段を含む。本装置はまた、複数のアグリゲートキャリアのうちの判断された１つの上で複数のアグリゲートキャリアの制御情報を少なくとも１つのサブフレームを介して通信するための手段を含む。
【０００８】
別の態様によれば、非一時的コンピュータ可読記憶媒体が提供される。コンピュータ可読記憶媒体は、複数のアグリゲートキャリアのための１つまたは複数の割当てを受信することをコンピュータに行わせるためのコードであって、複数のアグリゲートキャリアのうちの少なくとも１つが、複数のアグリゲートキャリアのうちの少なくとも別の１つとは異なるサブフレーム構成を有する時分割複信（ＴＤＤ）キャリアである、コードを含む。コンピュータ可読記憶媒体はまた、複数のアグリゲートキャリアのサブフレーム利用可能性に少なくとも部分的に基づいて、制御情報をその上で通信すべき複数のアグリゲートキャリアのうちの１つを判断することをコンピュータに行わせるためのコードを含む。コンピュータ可読記憶媒体はまた、複数のアグリゲートキャリアのうちの判断された１つの上で複数のアグリゲートキャリアの制御情報を少なくとも１つのサブフレームを介して通信することをコンピュータに行わせるためのコードを含む。
【０００９】
別の態様によれば、アグリゲートキャリアの制御情報を通信するためのユーザ機器（ＵＥ）が提供される。ＵＥは、少なくとも１つのプロセッサと、少なくとも１つのプロセッサに結合されたメモリとを含む。少なくとも１つのプロセッサは、複数のアグリゲートキャリアのための１つまたは複数の割当てを受信することであって、複数のアグリゲートキャリアのうちの少なくとも１つが、複数のアグリゲートキャリアのうちの少なくとも別の１つとは異なるサブフレーム構成を有する時分割複信（ＴＤＤ）キャリアである、受信することを行うように構成される。少なくとも１つのプロセッサはまた、複数のアグリゲートキャリアのサブフレーム利用可能性に少なくとも部分的に基づいて、制御情報をその上で通信すべき複数のアグリゲートキャリアのうちの１つを判断するように構成される。少なくとも１つのプロセッサはまた、複数のアグリゲートキャリアのうちの判断された１つの上で複数のアグリゲートキャリアの制御情報を少なくとも１つのサブフレーム中で通信するように構成される。
【００１０】
別の態様によれば、アグリゲートキャリアの制御情報を通信するためのワイヤレス通信デバイスが提供される。ワイヤレス通信デバイスは、プロセッサと、プロセッサと電子通信しているメモリと、メモリに記憶された命令とを含む。命令は、少なくとも１つのプロセッサは、複数のアグリゲートキャリアのための１つまたは複数の割当てを受信することであって、複数のアグリゲートキャリアのうちの少なくとも１つが、複数のアグリゲートキャリアのうちの少なくとも別の１つとは異なるサブフレーム構成を有する時分割複信（ＴＤＤ）キャリアである、受信することを行うようにプロセッサによって実行可能である。命令はまた、複数のアグリゲートキャリアのサブフレーム利用可能性に少なくとも部分的に基づいて、制御情報をその上で通信すべき複数のアグリゲートキャリアのうちの１つを判断するようにプロセッサによって実行可能である。命令はまた、複数のアグリゲートキャリアのうちの判断された１つの上で複数のアグリゲートキャリアの制御情報を少なくとも１つのサブフレームを介して通信するようにプロセッサによって実行可能である。
【００１１】
本開示の様々な態様および特徴について以下でさらに詳細に説明する。
【図面の簡単な説明】
【００１２】
【図１】電気通信システムの一例を概念的に示すブロック図。
【図２】電気通信システムにおけるダウンリンクフレーム構造の一例を概念的に示すブロック図。
【図３】本開示の一態様に従って構成された基地局／ｅノードＢおよびＵＥの設計を概念的に示すブロック図。
【図４Ａ】連続キャリアアグリゲーションタイプを開示する図。
【図４Ｂ】不連続キャリアアグリゲーションタイプを開示する図。
【図５】ＭＡＣレイヤデータアグリゲーションを開示する図。
【図６】複数キャリア構成において無線リンクを制御するための方法を示すブロック図。
【図７】アグリゲートキャリアの制御データを通信するための例示的なシステムの一態様のブロック図。
【図８】１次コンポーネントキャリア（ＰＣＣ：primary component carrier）を判断するための例示的なキャリア構成のブロック図。
【図９】再送信リソースをマッピングするための例示的なキャリア構成のブロック図。
【図１０】アップリンクＰＣＣおよびダウンリンクＰＣＣを判断するための例示的なキャリア構成のブロック図。
【図１１】アグリゲートキャリアの制御データを通信するための方法を示すブロック図。
【図１２】複数のアグリゲートキャリアの制御データを通信するための例示的なシステムの一態様のブロック図。
【図１３】制御データを通信するためのキャリアを選択するための方法を示すブロック図。
【図１４】制御データ通信のＰＣＣを選択するための方法を示すブロック図。
【図１５】ＰＣＣ上で制御データを通信するための方法を示すブロック図。
【図１６】再送信フィードバックデータを１次ダウンリンクサブフレームにマッピングするための方法を示すブロック図。
【発明を実施するための形態】
【００１３】
添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１４】
本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、広帯域ＣＤＭＡ（ＷＣＤＭＡ）（登録商標）およびＣＤＭＡの他の変形態を含む。ｃｄｍａ２０００は、ＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭＡなどの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。本明細書で説明する技法は、上記のワイヤレスネットワークおよび無線技術、ならびに他のワイヤレスネットワークおよび無線技術のために使用され得る。明快のために、本技法のいくつかの態様について以下ではＬＴＥに関して説明し、以下の説明の大部分でＬＴＥ用語を使用する。
【００１５】
図１に、ワイヤレス通信ネットワーク１００を示し、これはＬＴＥネットワークであり得る。ワイヤレスネットワーク１００は、いくつかの発展型ノードＢ（ｅノードＢ）１１０と他のネットワークエンティティとを含み得る。ｅノードＢは、ＵＥと通信する局であり得、基地局、アクセスポイントなどと呼ばれることもある。ノードＢは、ＵＥと通信する局の別の例である。
【００１６】
各ｅノードＢ１１０は、特定の地理的エリアに通信カバレージを提供し得る。３ＧＰＰでは、「セル」という用語は、この用語が使用されるコンテキストに応じて、ｅノードＢのカバレージエリアおよび／またはこのカバレージエリアをサービスしているｅノードＢサブシステムを指すことがある。
【００１７】
ｅノードＢは、マクロセル、ピコセル、フェムトセル、および／または他のタイプのセルに通信カバレージを提供し得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ、自宅内のユーザのためのＵＥなど）による制限付きアクセスを可能にし得る。マクロセルのためのｅノードＢはマクロｅノードＢと呼ばれることがある。ピコセルのためのｅノードＢはピコｅノードＢと呼ばれることがある。また、フェムトセルのためのｅノードＢはフェムトｅノードＢまたはホームｅノードＢと呼ばれることがある。図１に示す例では、ｅノードＢ１１０ａ、１１０ｂおよび１１０ｃは、それぞれマクロセル１０２ａ、１０２ｂおよび１０２ｃのためのマクロｅノードＢである。ｅノードＢ１１０ｘは、ピコセル１０２ｘのためのピコｅノードＢであり得る。ｅノードＢ１１０ｙおよび１１０ｚは、それぞれフェムトセル１０２ｙおよび１０２ｚのためのフェムトｅノードＢであり得る。ｅノードＢは、１つまたは複数の（たとえば、３つの）セルをサポートし得る。
【００１８】
ワイヤレスネットワーク１００はまた、中継局を含み得る。中継局は、上流局（たとえば、ｅノードＢまたはＵＥなど）からデータおよび／または他の情報の送信を受信し、そのデータおよび／または他の情報の送信を下流局（たとえば、ＵＥまたはｅノードＢ）に送る局である。中継局はまた、他のＵＥに対する送信を中継するＵＥであり得る。図１に示す例では、中継局１１０ｒは、ｅノードＢ１１０ａとＵＥ１２０ｒとの間の通信を可能にするために、ｅノードＢ１１０ａおよびＵＥ１２０ｒと通信し得る。中継局は、リレーｅノードＢ、リレーなどと呼ばれることもある。
【００１９】
ワイヤレスネットワーク１００は、様々なタイプのｅノードＢ、たとえば、マクロｅノードＢ、ピコｅノードＢ、フェムトｅノードＢ、リレーなどを含む異種ネットワークであり得る。これらの様々なタイプのｅノードＢは、様々な送信電力レベル、様々なカバレージエリア、およびワイヤレスネットワーク１００中の干渉に対する様々な影響を有し得る。たとえば、マクロｅノードＢは、高い送信電力レベル（たとえば、５〜４０ワット）を有し得るが、ピコｅノードＢ、フェムトｅノードＢ、およびリレーは、より低い送信電力レベル（たとえば、０．１〜２ワット）を有し得る。
【００２０】
ワイヤレスネットワーク１００は、同期動作または非同期動作をサポートし得る。同期動作の場合、ｅノードＢは同様のフレームタイミングを有し得、異なるｅノードＢからの送信は近似的に時間的に整合され得る。非同期動作の場合、ｅノードＢは異なるフレームタイミングを有し得、異なるｅノードＢからの送信は時間的に整合されないことがある。本明細書で説明する技法は、同期動作と非同期動作の両方のために使用され得る。
【００２１】
ネットワークコントローラ１３０は、ｅノードＢのセットに結合し、これらのｅノードＢの協調および制御を行い得る。ネットワークコントローラ１３０は、バックホールを介してｅノードＢ１１０と通信し得る。ｅノードＢ１１０はまた、たとえば、ワイヤレスバックホールまたはワイヤラインバックホールを介して直接または間接的に互いに通信し得る。
【００２２】
ＵＥ１２０は、ワイヤレスネットワーク１００全体にわたって分散され得、各ＵＥは、固定でも移動でもよい。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局などであり得る。ＵＥは、マクロｅノードＢ、ピコｅノードＢ、フェムトｅノードＢ、リレーなどと通信することが可能であり得る。図１において、両矢印付きの実線は、ダウンリンクおよび／またはアップリンク上での、ＵＥと、そのＵＥをサービスするように指定されたｅノードＢであるサービングｅノードＢとの間の所望の送信を示す。両矢印付きの破線は、ＵＥとｅノードＢとの間の干渉送信を示す。
【００２３】
ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、サブキャリアの間隔は１５ｋＨｚであり得、（「リソースブロック」と呼ばれる）最小リソース割振りは１２個のサブキャリア（または１８０ｋＨｚ）であり得る。したがって、公称ＦＦＴサイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚ（すなわち、６つのリソースブロック）をカバーし得、１．２５、２．５、５、１０または２０ＭＨｚのシステム帯域幅に対してそれぞれ１、２、４、８または１６個のサブバンドがあり得る。
【００２４】
図２に、ＬＴＥにおいて使用されるダウンリンクフレーム構造２００を示す。ダウンリンクの送信タイムラインは、無線フレーム２０２、２０４、２０６の単位に区分され得る。各無線フレームは、所定の持続時間（たとえば、１０ミリ秒（ｍｓ））を有し得、０〜９のインデックスをもつ１０個のサブフレーム２０８に区分され得る。各サブフレームは、２つのスロット、たとえば、スロット２１０を含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間２１２、または拡張サイクリックプレフィックスの場合は６つのシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００２５】
ＬＴＥでは、ｅノードＢは、ｅノードＢ中の各セルについて１次同期信号（ＰＳＳ：primary synchronization signal）と２次同期信号（ＳＳＳ：secondary synchronization signal）とを送り得る。１次同期信号および２次同期信号は、図２に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ｅノードＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００２６】
ｅノードＢは、図２の第１のシンボル期間全体において示されているが、各サブフレームの第１のシンボル期間の一部において物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ただし、Ｍは、１、２または３に等しくなり得、サブフレームごとに変化し得る。Ｍはまた、たとえば、リソースブロックが１０個未満である、小さいシステム帯域幅では４に等しくなり得る。図２に示す例では、Ｍ＝３である。ｅノードＢは、各サブフレームの最初のＭ個（図２ではＭ＝３）のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送信（ＨＡＲＱ）をサポートするための情報を搬送し得る。ＰＤＣＣＨは、ＵＥのためのアップリンクおよびダウンリンクリソース割振りに関する情報と、アップリンクチャネルのための電力制御情報とを搬送し得る。図２の第１のシンボル期間の中には示されていないが、ＰＤＣＣＨおよびＰＨＩＣＨは、第１のシンボル期間の中にも含まれることを理解されたい。同様に、ＰＨＩＣＨおよびＰＤＣＣＨはまた、図２にはそのようには示されていないが、第２のシンボル期間と第３のシンボル期間の両方の中にある。ｅノードＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Evolved Universal Terrestrial Radio Access (E-UTRA); Physical Channels and Modulation」と題する３ＧＰＰ  ＴＳ  ３６．２１１に記載されている。
【００２７】
ｅノードＢは、ｅノードＢによって使用されるシステム帯域幅の中心１．０８ＭＨｚにおいてＰＳＳ、ＳＳＳおよびＰＢＣＨを送り得る。ｅノードＢは、これらのチャネルが送られる各シンボル期間中のシステム帯域幅全体にわたってＰＣＦＩＣＨおよびＰＨＩＣＨを送り得る。ｅノードＢは、システム帯域幅のいくつかの部分においてＵＥのグループにＰＤＣＣＨを送り得る。ｅノードＢは、システム帯域幅の特定の部分において特定のＵＥにＰＤＳＣＨを送り得る。ｅノードＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方式でＰＤＣＣＨを送り得、また特定のＵＥにユニキャスト方式でＰＤＳＣＨを送り得る。
【００２８】
各シンボル期間においていくつかのリソース要素が利用可能であり得る。各リソース要素は、１つのシンボル期間中に１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に構成され得る。各ＲＥＧは、１つのシンボル期間中に４つのリソース要素を含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間において、周波数上で拡散され得る、３つのＲＥＧを占有し得る。たとえば、ＰＨＩＣＨ用の３つのＲＥＧは、すべてシンボル期間０中に属するか、またはシンボル期間０、１および２中で拡散され得る。ＰＤＣＣＨは、最初のＭ個のシンボル期間において、利用可能なＲＥＧから選択され得る、９、１８、３２または６４個のＲＥＧを占有し得る。ＲＥＧのいくつかの組合せがＰＤＣＣＨに対して許可され得る。
【００２９】
ＵＥは、ＰＨＩＣＨおよびＰＣＦＩＣＨのために使用される特定のＲＥＧを知り得る。ＵＥは、ＰＤＣＣＨについてＲＥＧの様々な組合せを探索し得る。探索すべき組合せの数は、一般に、ＰＤＣＣＨに対して許可される組合せの数よりも少ない。ｅノードＢは、ＵＥが探索することになる組合せのいずれかにおいてＵＥにＰＤＣＣＨを送り得る。
【００３０】
ＵＥは、複数のｅノードＢのカバレージ内にあり得る。そのＵＥをサービスするために、これらのｅノードＢのうちの１つが選択され得る。サービングｅノードＢは、受信電力、経路損失、信号対雑音比（ＳＮＲ）など、様々な基準に基づいて選択され得る。
【００３１】
図３に、図１の基地局／ｅノードＢのうちの１つおよびＵＥのうちの１つであり得る、基地局／ｅノードＢ１１０およびＵＥ１２０の設計を示すブロック図を示す。制限付き関連付けシナリオの場合、基地局１１０は図１のマクロｅノードＢ１１０ｃであり得、ＵＥ１２０はＵＥ１２０ｙであり得る。基地局１１０はまた、何らかの他のタイプの基地局であり得る。基地局１１０はアンテナ３３４ａ〜３３４ｔを備え得、ＵＥ１２０はアンテナ３５２ａ〜３５２ｒを備え得る。
【００３２】
基地局１１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。プロセッサ３２０は、データと制御情報とを処理（たとえば、符号化およびシンボルマッピング）して、それぞれデータシンボルと制御シンボルとを取得し得る。プロセッサ３２０はまた、たとえば、ＰＳＳ、ＳＳＳ、およびセル固有基準信号のための基準シンボルを生成し得る。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、出力シンボルストリームを変調器（ＭＯＤ）３３２ａ〜３３２ｔに与え得る。各変調器３３２は、（たとえば、ＯＦＤＭなどのために）それぞれの出力シンボルストリームを処理して、出力サンプルストリームを取得し得る。各変調器３３２はさらに、出力サンプルストリームを処理（たとえば、アナログへの変換、増幅、フィルタ処理、およびアップコンバート）して、ダウンリンク信号を取得し得る。変調器３３２ａ〜３３２ｔからのダウンリンク信号は、それぞれアンテナ３３４ａ〜３３４ｔを介して送信され得る。
【００３３】
ＵＥ１２０において、アンテナ３５２ａ〜３５２ｒは、基地局１１０からダウンリンク信号を受信し得、受信信号をそれぞれ復調器（ＤＥＭＯＤ）３５４ａ〜３５４ｒに与え得る。各復調器３５４は、それぞれの受信信号を調整（たとえば、フィルタ処理、増幅、ダウンコンバート、およびデジタル化）して、入力サンプルを取得し得る。各復調器３５４は、（たとえば、ＯＦＤＭなどのために）入力サンプルをさらに処理して、受信シンボルを取得し得る。ＭＩＭＯ検出器３５６は、すべての復調器３５４ａ〜３５４ｒから受信シンボルを取得し、適用可能な場合は受信シンボルに対してＭＩＭＯ検出を実行し、検出シンボルを与え得る。受信プロセッサ３５８は、検出シンボルを処理（たとえば、復調、デインターリーブ、および復号）し、ＵＥ１２０の復号されたデータをデータシンク３６０に与え、復号された制御情報をコントローラ／プロセッサ３８０に与え得る。
【００３４】
アップリンク上では、ＵＥ１２０において、送信プロセッサ３６４は、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。送信プロセッサ３６４はまた、基準信号のための基準シンボルを生成し得る。送信プロセッサ３６４からのシンボルは、適用可能な場合はＴＸ  ＭＩＭＯプロセッサ３６６によってプリコードされ、さらに（たとえば、ＳＣ−ＦＤＭなどのために）復調器３５４ａ〜３５４ｒによって処理され、基地局１１０に送信され得る。基地局１１０において、ＵＥ１２０からのアップリンク信号は、アンテナ３３４によって受信され、変調器３３２によって処理され、適用可能な場合はＭＩＭＯ検出器３３６によって検出され、さらに受信プロセッサ３３８によって処理されて、ＵＥ１２０によって送られた復号されたデータおよび制御情報が取得され得る。受信プロセッサ３３８は、復号されたデータをデータシンク３３９に与え、復号された制御情報をコントローラ／プロセッサ３４０に与え得る。
【００３５】
コントローラ／プロセッサ３４０および３８０は、それぞれ基地局１１０およびＵＥ１２０における動作を指示し得る。基地局１１０におけるプロセッサ３４０および／または他のプロセッサおよびモジュールは、本明細書で説明する技法のための様々なプロセスを実行するかまたはその実行を指示し得る。ＵＥ１２０におけるプロセッサ３８０および／または他のプロセッサおよびモジュールはまた、図４Ａ、図４Ｂ、図５および図６に示す機能ブロック、および／または本明細書で説明する技法のための他のプロセスを実行するかまたはその実行を指示し得る。メモリ３４２および３８２は、それぞれ基地局１１０およびＵＥ１２０のためのデータおよびプログラムコードを記憶し得る。スケジューラ３４４は、ダウンリンクおよび／またはアップリンク上でのデータ送信のためにＵＥをスケジュールし得る。
【００３６】
一構成では、ワイヤレス通信のためのＵＥ１２０は、ＵＥの接続モード中に干渉基地局からの干渉を検出するための手段と、干渉基地局の得られたリソースを選択するための手段と、得られたリソース上の物理ダウンリンク制御チャネルの誤り率を取得するための手段と、誤り率が所定のレベルを超えたことに応答して実行可能である、無線リンク障害を宣言するための手段とを含む。一態様では、上述の手段は、上述の手段によって具陳される機能を実行するように構成された、（１つまたは複数の）プロセッサ、コントローラ／プロセッサ３８０、メモリ３８２、受信プロセッサ３５８、ＭＩＭＯ検出器３５６、復調器３５４ａ、およびアンテナ３５２ａであり得る。別の態様では、上述の手段は、上述の手段によって具陳される機能を実行するように構成されたモジュールまたは任意の装置であり得る。
【００３７】
キャリアアグリゲーション
ＬＴＥ−Ａｄｖａｎｃｅｄ  ＵＥは、各方向において送信のために使用される最高合計１００ＭＨｚ（５つのコンポーネントキャリア）のキャリアアグリゲーションにおいて割り振られた、最高２０ＭＨｚ帯域幅内のスペクトルを使用する。概して、アップリンク上ではダウンリンクよりも少ないトラフィックが送信され、したがって、アップリンクスペクトル割振りはダウンリンク割振りよりも小さくなり得る。たとえば、アップリンクに２０ＭＨｚが割り当てられた場合、ダウンリンクには１００ＭＨｚが割り当てられ得る。これらの非対称ＦＤＤ割当ては、スペクトルを節約し、ブロードバンド加入者による一般に非対称な帯域利用にぴったり合う。
【００３８】
キャリアアグリゲーションタイプ
ＬＴＥ−Ａｄｖａｎｃｅｄモバイルシステムのために、２つのタイプのキャリアアグリゲーション（ＣＡ：carrier aggregation）方法、すなわち、連続ＣＡおよび不連続ＣＡが提案されている。それらを図４Ａおよび４Ｂに示す。不連続ＣＡは、複数の利用可能なコンポーネントキャリア（たとえば、４０２ｂ、４０４ｂ、４０６ｂ）が周波数帯域に沿って分離されたときに生じる（図４Ｂ）。一方、連続ＣＡは、複数の利用可能なコンポーネントキャリア（たとえば、４０２ａ、４０４ａ、４０６ａ）が互いに隣接するときに生じる（図４Ａ）。不連続ＣＡと連続ＣＡの両方は、ＬＴＥ  Ａｄｖａｎｃｅｄ  ＵＥの単一ユニットを処理するために複数のＬＴＥ／コンポーネントキャリアをアグリゲートする。
【００３９】
ＬＴＥ−Ａｄｖａｎｃｅｄ  ＵＥにおける不連続ＣＡでは、周波数帯域に沿ってキャリアが分離されるので、複数のＲＦ受信ユニットと複数のＦＦＴとが配備され得る。不連続ＣＡは、大きい周波数範囲にわたる複数の分離されたキャリア上でのデータ送信をサポートするので、周波数帯域が異なると、伝搬経路損失、ドップラーシフトおよび他の無線チャネル特性が大いに変わり得る。
【００４０】
したがって、不連続ＣＡ手法の下でブロードバンドデータ送信をサポートするために、異なるコンポーネントキャリアのためのコーディング、変調および送信電力を適応的に調整するための方法が使用され得る。たとえば、拡張ノードＢ（ｅノードＢ）が各コンポーネントキャリア上の送信電力を固定しているＬＴＥ−Ａｄｖａｎｃｅｄシステムでは、各コンポーネントキャリアの有効カバレージまたはサポート可能な変調およびコーディングが異なり得る。
【００４１】
データアグリゲーション方式
図５に、Ｉｎｔｅｒｎａｔｉｏｎａｌ  Ｍｏｂｉｌｅ  Ｔｅｌｅｃｏｍｍｕｎｉｃａｔｉｏｎｓ（ＩＭＴ）−Ａｄｖａｎｃｅｄシステムのために媒体アクセス制御（ＭＡＣ）レイヤ（図５）において異なるコンポーネントキャリアからの送信ブロック（ＴＢ：transmission block）をアグリゲートすることを示す。ＭＡＣレイヤデータアグリゲーション（たとえば、５００）によって、各コンポーネントキャリア（たとえば、５０６ａ、５０６ｂ、５０６ｃ）は、ＭＡＣレイヤ中にそれ自体の独立したハイブリッド自動再送要求（ＨＡＲＱ）エンティティ（たとえば、５０２ａ、５０２ｂ、５０２ｃ）と、物理レイヤ（たとえば、５０４ａ、５０４ｂ、５０４ｃ）中にそれ自体の送信構成パラメータ（たとえば、送信電力、変調およびコーディング方式、ならびに複数アンテナ構成）とを有する。同様に、物理レイヤでは、コンポーネントキャリアごとに１つのＨＡＲＱエンティティが与えられる。
【００４２】
制御シグナリング
概して、複数のコンポーネントキャリアの制御チャネルシグナリングを展開するための様々な手法がある。第１の方法は、ＬＴＥシステムにおける制御構造の軽微な修正を伴い、各コンポーネントキャリアにそれ自体のコード化制御チャネルが与えられる。
【００４３】
第２の方法は、異なるコンポーネントキャリアの制御チャネルをジョイントコーディングし、専用コンポーネントキャリアにおいて制御チャネルを配備することを伴う。複数のコンポーネントキャリアの制御情報は、クロスキャリア制御チャネル信号スケジューリングとも呼ばれる、この専用制御チャネルにおけるシグナリングコンテンツとして統合されることになる。その結果、ＬＴＥシステムにおける制御チャネル構造との逆方向互換性が維持されながら、ＣＡのシグナリングオーバーヘッドが低減する。
【００４４】
異なるコンポーネントキャリアのための複数の制御チャネルは、ジョイントコーディングされ、次いで、第３のＣＡ方法によって形成された周波数帯域全体にわたって送信される。この手法は、制御チャネルにおいて低いシグナリングオーバーヘッドと高い復号性能とを提供するが、ＵＥ側の電力消費量が高くなる。ただし、この方法は、ＬＴＥシステムとの互換性がないことがある。
【００４５】
クロスキャリア制御チャネルシグナリングは、４つの可能な構成のために、アップリンクチャネルおよび／またはダウンリンクチャネル上で実行されても実行されなくてもよい。クロスキャリア制御チャネルシグナリングがない場合、各コンポーネントキャリアは、それ自体のためにそれ自体の制御チャネルにおいてのみ制御チャネル信号をスケジュールし得る。クロスキャリア制御チャネルシグナリングがある場合、少なくとも１つのコンポーネントキャリアは制御チャネルシグナリングを処理するが、少なくとも１つのコンポーネントキャリアは制御チャネルシグナリングを処理しない。制御チャネルシグナリングを処理する少なくとも１つのコンポーネントキャリアは（１つまたは複数の）１次コンポーネントキャリア（ＰＣＣ）と見なされ得る。
【００４６】
ハンドオーバ制御
ＩＭＴ−Ａｄｖａｎｃｅｄ  ＵＥのためにＣＡが使用されるとき、複数のセルにわたるハンドオーバプロシージャ中に送信連続性をサポートすることが好ましい。しかしながら、特定のＣＡ構成およびサービス品質（ＱｏＳ）要件とともに、入来ＵＥのために十分なシステムリソース（すなわち、良好な送信品質をもつコンポーネントキャリア）を確保することが、次のｅノードＢにとって難しいことがある。この理由は、２つ（またはそれ以上）の隣接するセル（ｅノードＢ）のチャネル状態が、特定のＵＥについて異なり得るからである。１つの手法では、ＵＥは、各隣接セルにおいて１つのコンポーネントキャリアのパフォーマンスを測定する。これは、ＬＴＥシステムにおけるのと同様の測定遅延、複雑さ、およびエネルギー消費を与える。対応するセルにおける他のコンポーネントキャリアのパフォーマンスの推定は、この１つのコンポーネントキャリアの測定結果に基づき得る。この推定に基づいて、ハンドオーバ決定および送信構成が判断され得る。
【００４７】
様々な実施形態によれば、（キャリアアグリゲーションとも呼ばれる）マルチキャリアシステムにおいて動作するＵＥは、「１次キャリア」と呼ばれることがある同じキャリア上で、制御機能およびフィードバック機能など、複数のキャリアのいくつかの機能をアグリゲートするように構成される。サポートのために１次キャリアに依存する残りのキャリアは、関連する２次キャリアと呼ばれる。たとえば、ＵＥは、随意の専用チャネル（ＤＣＨ）、スケジュールされない許可、物理アップリンク制御チャネル（ＰＵＣＣＨ）、および／または物理ダウンリンク制御チャネル（ＰＤＣＣＨ）によって提供される制御機能などの制御機能をアグリゲートし得る。シグナリングおよびペイロードは、ダウンリンク上でｅノードＢによってＵＥに、ならびにアップリンク上でＵＥによってｅノードＢに送信され得る。
【００４８】
いくつかの実施形態では、複数の１次キャリアが存在し得る。さらに、ＬＴＥ無線リソース制御（ＲＲＣ：radio resource control）プロトコルの３ＧＰＰ技術仕様３６．３３１におけるものなど、レイヤ２プロシージャである物理チャネル確立およびＲＬＦプロシージャを含む、ＵＥの基本動作に影響を及ぼすことなしに、２次キャリアが追加または削除され得る。
【００４９】
図６に、一例による、物理チャネルをグループ化することによって複数キャリアワイヤレス通信システムにおいて無線リンクを制御するための方法６００を示す。図示のように、本方法は、ブロック６０５において、１次キャリアと、１つまたは複数の関連する２次キャリアとを形成するために、少なくとも２つのキャリアからの制御機能を１つのキャリア上にアグリゲートすることを含む。次にブロック６１０において、１次キャリアと各２次キャリアとのための通信リンクを確立する。次いで、ブロック６１５において、１次キャリアに基づいて通信を制御する。
【００５０】
本明細書では、１つまたは複数のアグリゲートキャリアのための制御データまたは制御情報を通信することに関係する様々な態様について説明する。制御データおよび制御情報は互換的に使用される。上述のように、複数のアグリゲートキャリアの制御データは、単一のアップリンクキャリア上で通信され得る。単一のアップリンク制御チャネルキャリア上で制御データを通信することにより、利益が与えられ、システム設計が簡略化され得る。たとえば、最も高い優先順位を与えられ得る、ただ１つのアップリンク制御チャネル（たとえば、ＰＵＣＣＨ）が一度に処理される必要があるとき、単一の制御チャネルにより、チャネルの電力スケーリングが可能になる。さらに、単一のアップリンク制御チャネルにより、制御チャネル（たとえば、ＰＵＣＣＨ）と共有チャネル（たとえば、ＰＵＳＣＨ）との並列構成が可能になる。システム設計は、制御チャネルのあまりブラインドでない検出と、一度に１つのＵＬ  ＣＣ送信を受信することによる簡略化された処理とから恩恵を受ける。また、ジョイントＡＣＫ／ＮＡＣＫコーディングが性能利得および設計利得を与え得る。
【００５１】
一例では、複数のアグリゲートキャリアは、時分割複信（ＴＤＤ）キャリアである少なくとも１つのキャリアを含むことができる。しかしながら、そのようなキャリアは、すべての時間間隔においてアップリンク通信を常に可能にするとは限らない。したがって、本明細書で説明する態様は、少なくとも１つのキャリアが、複数のキャリアのうちの少なくとも１つの他のキャリアとは異なるサブフレーム構成を有するＴＤＤキャリアである、複数のキャリアの制御データを通信することに関係する。たとえば、アグリゲートキャリアのうちの別の１つが周波数分割複信（ＦＤＤ）キャリアである場合、各時間間隔において、ＴＤＤあるいは１つまたは複数の他のキャリアがアップリンク通信を可能にしない時間間隔において、などにおいて、アグリゲートキャリアの制御データを通信するために、ＦＤＤキャリアが利用され得る。同様に、アグリゲートキャリアが複数のＴＤＤキャリアを含む場合、アグリゲートキャリアの制御データを通信するために、１つまたは複数の時間間隔においてアップリンク通信を可能にするＴＤＤキャリアが利用され得る。ＬＴＥリリース１０では、ＦＤＤコンポーネントキャリアとＴＤＤコンポーネントキャリアとをアグリゲートすることはない。一方、ＬＴＥリリース１１では、ＴＤＤコンポーネントキャリアとＦＤＤコンポーネントキャリアとはアグリゲートされ得る。ＬＴＥリリース１０では、すべてのＴＤＤコンポーネントキャリアが同じダウンリンク／アップリンク構成を有するが、ＬＴＥリリース１１では、ＴＤＤコンポーネントキャリアについて異なるダウンリンク／アップリンク構成がサポートされ得る。
【００５２】
図７に、複数のキャリア割当てを受信するための例示的なシステム７００を示す。システム７００は、ｅノードＢ７０４および／または７０６によって提供されるセル中で１つまたは複数のｅノードＢ７０４および／または７０６と通信することができるＵＥ７０２を含む。たとえば、ｅノードＢ７０４および／または７０６は、それと通信するための１つまたは複数のキャリアの形態でＵＥ７０２にリソースを割り当てることができる。ＵＥ７０２は、ワイヤレス端末、モデム（または他のテザーデバイス）、それの一部分など、ワイヤレスネットワークにおいて通信する実質的に任意のデバイスであり得る。ｅノードＢ７０４および７０６は、それぞれ、マクロセル、フェムトセル、ピコセル、アクセスポイント、モバイル基地局、リレーノード、ＵＥ７０２とピアツーピアまたはアドホックモードで通信するＵＥ、それの部分などであり得る。
【００５３】
ＵＥ７０２は、アグリゲートキャリア割当てであり得るキャリア割当てを、ｅノードＢ７０４および／またはｅノードＢ７０６から取得することができるキャリア割当て受信構成要素７０８と、キャリアのうちの少なくとも１つのための制御データをその上で通信すべき、１つまたは複数のキャリアなどの制御リソースを判断することができる随意の制御リソース判断構成要素７１０と、制御リソースのセット上で制御データを通信するための制御データ通信構成要素７１２とを含む。
【００５４】
ｅノードＢ７０４および７０６はそれぞれ、ＵＥに割り当てられた１つまたは複数のアグリゲートキャリアに少なくとも部分的に基づいてＵＥ７０２のための制御リソース割当てを判断するための随意の制御リソース判断構成要素７１４および／または７２０と、１つまたは複数のアグリゲートキャリアをＵＥに割り当てるためのキャリア割当て構成要素７１６および７２２とを含むことができる。
【００５５】
一例によれば、ｅノードＢ７０４は、キャリア割当て構成要素７１６を使用してＴＤＤキャリアをＵＥ７０２に割り当てることを含むＴＤＤキャリア割当て７２４をＵＥ７０２に送信することができる。キャリア割当て受信構成要素７０８は、（本明細書ではキャリアとも呼ぶ）ＴＤＤコンポーネントキャリア（ＣＣ：component carrier）７２４の割当てを取得することができ、ＴＤＤ  ＣＣ（たとえば、キャリア）７２６上でｅノードＢ７０４からの通信を受信することができる。同様に、ｅノードＢ７０６は、ＦＤＤまたはＴＤＤ（ＦＤＤ／ＴＤＤ）キャリア割当て７２８をＵＥ７０２に送信することができ、キャリア割当て受信構成要素７０８は、同様に割当て７２８を取得し、ＦＤＤ／ＴＤＤキャリア７３０上でｅノードＢ７０６からの通信を受信することができる。たとえば、割当て７２８が、キャリア割当て構成要素７２２によって生成され、通信され得る。制御データ通信構成要素７１２は、前に説明したように、１次コンポーネントキャリア（ＰＣＣ）を使用して、ＴＤＤキャリア７２６、ならびにＦＤＤ／ＴＤＤキャリア７３０上でダウンリンク通信に関係する制御データを通信することができる。たとえば、制御データは、ＨＡＲＱまたは他の再送信フィードバック、チャネル状態情報（ＣＳＩ：channel state information）、チャネル品質インジケータ（ＣＱＩ：channel quality indicator）、プリコーディング行列インジケータ（ＰＭＩ：precoding matrix indicator）、ランクインジケータ（ＲＩ：rank indicator）などに対応することができる。
【００５６】
たとえば、キャリア７２６およびキャリア７３０は、異なるサブフレーム構成を利用することができる（以下の表１参照）。たとえば、サブフレーム構成は、それを介して通信することに関するサブフレームに関係する１つまたは複数のパラメータを指すことができる。この例では、サブフレーム構成は、サブフレームにおいて許容される通信のタイプ（たとえば、アップリンク、ダウンリンクなど）を指すことができる。この例では、ＴＤＤキャリア７２６は、ＵＥ７０２からｅノードＢ７０４にアップリンクデータを通信するためにサブフレームのある部分を割り振り、ｅノードＢ７０４からＵＥ７０２にダウンリンクデータを通信するために別の部分を割り振り、他の目的のために他の部分を割り振ることなどができる。その上、ＴＤＤキャリア７２６は、一例では、アップリンク通信とダウンリンク通信の両方を可能にする、特殊なサブフレームを利用することができる。ただし、ＦＤＤキャリアは、周波数において多重化された、各サブフレーム内のアップリンク通信とダウンリンク通信の両方を可能にする、各サブフレーム中の同様の構成を有することができる。図示の例では、ＦＤＤ／ＴＤＤキャリア７３０は、ＴＤＤキャリア７２６とは異なるサブフレーム構成を使用するＦＤＤまたはＴＤＤキャリアであり得る。たとえば、ＰＣＣは、ＵＥ７０２に割り当てられたキャリア７２６および７３０および／または他のキャリアのためのアップリンクサブフレームのスーパーセットであるアップリンクサブフレームで構成されたどちらのキャリアでもあり得る。
【００５７】
たとえば、ＦＤＤ／ＴＤＤキャリア７３０がＦＤＤキャリアである場合、ＦＤＤキャリアは実質的にすべてのタイムスロット（たとえば、サブフレーム）においてアップリンク送信機会を有することができるので、制御データ通信構成要素７１２は、このキャリア上でアグリゲートキャリアの制御データを通信することができる。一例では、そのようなキャリアは、固定構成でＵＥ７０２に割り当てられ得るが、他の例では、制御リソース判断構成要素７１０が、アグリゲートキャリアのアップリンク制御データをその上で通信すべきキャリアを選択することができる。たとえば、ＵＥ７０２が複数のＦＤＤキャリア上で通信する場合、制御リソース判断構成要素７１０は、アップリンク制御データを通信するためにＦＤＤキャリアをＰＣＣとして選択することができる。一例では、制御リソース判断構成要素７１０は、レイヤ３信号上でアップリンク制御データを通信するためのＰＣＣの指示（たとえば、ｅノードＢ７０４および／または７０６からのＲＲＣシグナリング）、および／またはＰＣＣを判断するための命令を受信することができる。一例では、制御リソース判断構成要素７１０は、ＦＤＤキャリアに関係するインデックスまたは優先順位に少なくとも部分的に基づいてＰＣＣのＦＤＤキャリアを判断することができる。たとえば、制御リソース判断構成要素７１０は、最も低いインデックスまたは最も高い優先順位をもつＦＤＤキャリアをＰＣＣとして選択することができる。
【００５８】
ＦＤＤ／ＴＤＤキャリア７３０がＴＤＤキャリアである（および／または、たとえば、ＵＥ７０２がＦＤＤキャリア上で通信しない）場合、制御データ通信構成要素７１２は、アップリンク制御データを通信するためにＰＣＣとしてＵＥ７０２によって利用されるすべてのＴＤＤキャリアのスーパーセットであるアップリンク送信サブフレームを有するＴＤＤキャリアを利用することができる。一例（たとえば、ＬＴＥ）では、ＴＤＤキャリアは、表１に示す以下のフレーム構成をサポートすることができる。
【表１】
0005784835.tif 000002
【００５９】
表１は、７つのフレーム構成０〜６を示している。ＬＴＥ  Ｔｅｃｈｎｉｃａｌ  Ｓｐｅｃｉｆｉｃａｔｉｏｎ  ３６．２１１は７つの構成をサポートする。表１はまた、各フレーム構成によって含まれる、０〜９の番号が付けられたサブフレームのタイプを示している。各サブフレームは、Ｄ、ＵまたはＳとラベルをつけられ得、それぞれダウンリンク、アップリンク、および特殊を表す。したがって、たとえば、構成インデックス０では、ＴＤＤキャリアが、５ｍｓ間、サブフレーム０において、次いで、サブフレーム１において、５ｍｓ間、アップリンクに切り替わるための特殊な時間期間または切替え時間期間（Ｓ）、ダウンリンク（Ｄ）通信のために使用され、その後、合計１５ｍｓ間、サブフレーム２、３および４のためにアップリンク（Ｕ）通信のために使用されることなどがあり得る。この点について、上記の表１を使用して、制御リソース判断構成要素７１０は、以下の表２、あるいは異なるフォーマットおよび／または追加のＴＤＤキャリアのための同様のテーブルに少なくとも部分的に基づいて、２つのアグリゲートＴＤＤコンポーネントキャリアに関係する制御データを通信するためにＴＤＤキャリアをＰＣＣとして選択することができる。
【表２】
0005784835.tif 000003
【００６０】
したがって、たとえば、第１のＴＤＤコンポーネントキャリアが０の構成インデックスを有し、第２のＴＤＤコンポーネントキャリアが１、２、３、４、５、または６の構成インデックスを有する場合、第１のＴＤＤコンポーネントキャリアがＰＣＣになる。この理由は、サブフレーム２、３、４、７、および８を含む、第１のＴＤＤコンポーネントキャリアのアップリンクサブフレームが、１、２、３、４、５、または６の構成インデックスを有する他のＴＤＤコンポーネントキャリアのいずれかのためのアップリンクサブフレームのスーパーセットであるからである。たとえば、構成インデックス３は、構成インデックス０のためのアップリンクサブフレームのサブセットであるアップリンクサブフレーム２、３、および４を有する（表１参照）。また、表２には、いくつかの構成がサポートされないことが示されている。たとえば、１つのＴＤＤキャリアが構成インデックス１のために構成され、他のＴＤＤキャリアがインデックス３のために構成された場合は、構成３がアップリンク通信を可能にする間に構成１がアップリンク通信を可能にしない期間があり、その逆も同様であるので、サポートされ得ない。したがって、いずれのフレーム構成も、他のフレーム構成のアップリンクサブフレームのためのスーパーセットとして働くアップリンクサブフレームを有しない。別の例では、説明したように、制御リソース判断構成要素７１０がそのような判断を行うのではなく、制御データ通信構成要素７１２は、上記の論理に基づいて構成されていることがある、受信された構成に従ってキャリアをＰＣＣとして利用することができる。この例では、特にＬＴＥのための上記の表１および表２を実装するための論理は、ＵＥ７０２において構成され得、制御データ通信構成要素７１２は、表１および表２と、キャリア７２６および７３０の構成インデックスとに基づいて適切なＰＣＣ上で制御データを通信することができる。
【００６１】
別の例では、制御データ通信構成要素７１２は、アグリゲートキャリアの制御データを送信するために、異なるサブフレーム中の異なるキャリアをＰＣＣとして利用することができる。すなわち、ＰＣＣは、どのサブフレームが送信されているかに基づいて変化することができる。サブフレームは、１次アップリンクサブフレーム（ＰＵＳ：primary uplink subframe）と呼ばれることがあり、各ＰＵＳは、対応するサブフレーム中でＰＣＣとして割り当てられたキャリアを有することができる。たとえば、所与の時間期間においてＴＤＤキャリア７２６またはＦＤＤ／ＴＤＤキャリア７３０のうちの１つがアップリンク通信のために利用可能である場合、そのキャリアがＰＵＳのためのＰＣＣとして選択され得る。所与の時間期間において制御データを送信するために、ＴＤＤキャリア７２６およびＦＤＤ／ＴＤＤキャリア７３０など、複数のキャリアが利用可能である場合、制御データ通信構成要素７１２は、受信された構成に従ってキャリアをＰＣＣとして使用することができる。第１の例では、２つのコンポーネントキャリアがあり、第１のコンポーネントキャリアはＴＤＤコンポーネントキャリアであり、第２のコンポーネントキャリアはＦＤＤコンポーネントキャリアである。ＴＤＤコンポーネントキャリアがＵＬサブフレームを有しない場合、ＦＤＤキャリアはすべてのサブフレームのためのＰＣＣである。一方、ＴＤＤコンポーネントキャリアのサブフレームがアップリンク制御通信のために利用され得る場合、ＰＣＣの選択はＲＲＣ構成に基づき得る。一例では、制御リソース判断構成要素７１０は、複数のキャリアが利用可能である場合、ＰＵＳのためのＰＣＣとなるべきキャリアの指示および／またはどのキャリアをＰＣＣとして使用すべきかを判断することに関係する１つまたは複数のパラメータを受信することができる。一例では、制御リソース判断構成要素７１０は、セルインデックスまたは優先順位に基づいてキャリアを判断すること（たとえば、ＰＵＳにおけるアップリンク送信機会とともに最も高い優先順位または最も低いセルインデックスのキャリアを判断すること）に少なくとも部分的に基づいてキャリアを選択することができる。その上、一例では、利用可能である場合、ＦＤＤキャリアは、ＦＤＤが実質的にすべてのサブフレームにおいてアップリンク送信のために一般に利用可能であるので、アグリゲートキャリアのアップリンク制御データを送信するために実質的にすべてのサブフレームにおいてＰＣＣとして使用され得る。別の例では、制御リソース判断構成要素７１０は、所与のＰＵＳについて、ＦＤＤおよび／またはＴＤＤであるかどうかにかかわらず、アップリンク通信のために利用可能なキャリアを巡回することができる。
【００６２】
ダウンリンク割当てインデックス（ＤＡＩ：downlink assignment index）は、時間ウィンドウ中で何個のサブフレームがそのＵＥへの送信を含んでいるかを示す、ＵＥにシグナリングされるダウンリンクリソース許可におけるフィールドである。これは、ＬＴＥが時間領域複信（ＴＤＤ）モードで動作するときに適用可能である。さらに、ＤＡＩにより、ＵＥが複合ＡＣＫ／ＮＡＣＫをそれについて送信しなければならないすべてのダウンリンクトランスポートブロックをＵＥが受信したかどうかをＵＥが判断することが可能になる。３ＧＰＰ  ＴＳ３６．２１３  Ｓｅｃｔｉｏｎ  ７．３を参照されたい。さらに、ＦＤＤキャリアが使用される場合、ＤＡＩは、アグリゲートキャリアの制御データに関係するＦＤＤキャリア上の送信の数を示すために使用され得る。ＤＡＩは、ＬＴＥでは、たとえば、新しいダウンリンク制御インジケータ（ＤＣＩ）フォーマット中に含まれ得る。この例では、キャリア割当て受信構成要素７０８はまた、ＤＡＩを取得し、そのＤＡＩを利用して、１つまたは複数の制御データ送信においてピギーバックするためのＨＡＲＱフィードバック値の数を判断することができる。その上、別の例では、ＴＤＤキャリア７２６は、アップリンク送信がＴＤＤキャリア７２６において許容される時間期間においてアグリゲートキャリアのアップリンク制御データ送信のためにＰＣＣとして使用され得、ＴＤＤキャリア７２６が利用可能でない場合、たとえば、対応するＵＬサブフレームを有しない場合、ＦＤＤ／ＴＤＤキャリア７３０が、アップリンク制御データ送信のために使用され得るＦＤＤキャリアであり得る。
【００６３】
制御リソース判断構成要素７１４および／または７２０は、上記の制御リソース判断構成要素７１０に関して説明したのと同様にＵＥ７０２の制御リソース（たとえば、ＰＣＣ）を判断することができることを諒解されたい。たとえば、ｅノードＢ７０４は、ＵＥ７０２に割り当てられたキャリアをｅノードＢ７０６にバックホール接続上で通信することができ、および／またはその逆も同様である。別の例では、ＵＥ７０２は、ｅノードＢ７０４によって割り当てられたキャリアをｅノードＢ７０６に通知することができ、および／またはその逆も同様である。その上、一例では、制御リソース判断構成要素７１４および／または７２０は、所与の時間期間においてＵＥ７０２に制御リソースを割り当てるためのスケジューリング優先順位を判断することができる。たとえば、所与の時間期間においてＴＤＤキャリア７２６がアップリンク制御データのために利用可能である場合、制御リソース判断構成要素７１４および／または７２０は、ＴＤＤキャリア７２６上でＵＥ７０２に制御リソースを割り当てることを判断することができる。この例では、アップリンク制御データを通信するためにＴＤＤキャリア７２６が使用される時間期間中に、ＵＥ７０２はそれらの時間期間中にアップリンク制御データ通信のためのリソースを確保する必要がないので、ｅノードＢ７０６は、ＵＥ７０２にＦＤＤ／ＴＤＤキャリア７３０上で追加のダウンリンクリソースを割り当てることができる。
【００６４】
その上、一例では、制御リソース判断構成要素７１４および／または７２０は、各キャリア上の負荷に基づいて負荷分散を判断することに少なくとも部分的に基づいて、ＴＤＤキャリア７２６またはＦＤＤ／ＴＤＤキャリア７３０上でＵＥ７０２に制御リソースを割り当てるべきかどうかを判断することができる。たとえば、ＴＤＤキャリア７２６がアップリンク通信のために利用可能である時間期間では、制御リソース判断構成要素７１４および／または７２０は、ＦＤＤ／ＴＤＤキャリア７３０上の負荷と比較して時間期間におけるＴＤＤキャリア７３０の負荷に基づいて、ＵＥ７０２が時間期間においてアップリンク制御データを通信するためにＴＤＤキャリア７２６またはＦＤＤ／ＴＤＤキャリア７３０を使用すべきであるかどうかを判断することができる。
【００６５】
いずれの場合も、ｅノードＢ７０４およびｅノードＢ７０６はバックホール接続上で通信することができ、したがって、たとえば、ｅノードＢ７０４は、バックホールリンク上でｅノードＢ７０６を対象とする制御データを与えることができ、および／またはその逆も同様である。別の例では、ｅノードＢ７０４および７０６は、ＵＥ７０２について上記で説明したのと同様の論理を使用してＵＥ７０２からのアップリンク制御データ通信をその上で受信すべきリソースを調整することができる。したがって、一例では、ｅノードＢ７０４および／または７０６は、アグリゲートキャリアに関係するアップリンク制御データを受信するためにリソースを識別するための制御リソース判断構成要素７１０または同様の構成要素を含むことができる。
【００６６】
その上、アップリンクデータを通信するためにキャリアを判断することに関して図示および説明したが、同様の概念は、ダウンリンクデータのＰＣＣを判断することにも適用され得ることを諒解されたい。たとえば、ＴＤＤキャリア７２６は、あらゆる時間期間（たとえば、サブフレーム）においてダウンリンク送信のために利用可能であるとは限らない。したがって、ＦＤＤ／ＴＤＤキャリア７３０が利用可能である場合、ＦＤＤ／ＴＤＤキャリア７３０がダウンリンク通信のＰＣＣになることができる。両方が利用可能である場合、ＰＣＣを判断するためにＲＲＣシグナリング、インデックスまたは優先順位などが使用され得る。対応するサブフレームは物理ダウンリンクサブフレーム（ＰＤＳ：physical downlink subframe）と呼ばれることがある。
【００６７】
同様に、この例では、制御リソース判断構成要素７１４および／または７２０は、制御リソース判断構成要素７１０と同様に所与のＰＤＳにおいてＵＥ７０２に通信すべきかどうかを判断することができる。さらに、たとえば、（たとえば、プランニングなしにマクロセル中で展開されたフェムトセルアクセスポイントを含むネットワーク）異種展開ネットワーク（ＨｅｔＮｅｔ）では異なるサブフレームは異なる干渉を受け得るので、ｅノードＢ７０４および／または７０６は、いくつかのＰＤＳ（たとえば、およびその他でない）のために無線リソース管理（ＲＲＭ：radio resource management）および／または無線リンク管理（ＲＬＭ：radio link management）を実行するようにＵＥ７０２に命令することができる。たとえば、ｅノードＢ７０４および／または７０６は、単一のＣＣに対応するＰＤＳ中でＲＲＭ／ＲＬＭを実行するようにＵＥ７０２に命令することができる。一例では、ＵＥ７０２は、ｅノードＢ７０４および／または７０６によって命令されるかそうでないかにかかわらず、１つまたは複数の基準（たとえば、最も低いセルインデックスをもつＣＣ）に従ってＣＣに関係するＰＤＳ上でＲＲＭ／ＲＬＭを実行することができる。ＨｅｔＮｅｔセル（たとえば、フェムトセルおよびピコセル）の存在下で、ダウンリンク受信電力は電力レベルでバイアスされ得る（たとえば、０ｄＢ〜１１８ｄＢ）。低から中程度のバイアス（たとえば、１桁のｄＢ）では、ＵＥについて干渉をあまり受けないＰＤＳ中のサブフレームがより頻繁にスケジュールされ得るが、必要な場合のみ、より強い干渉を受けるＰＤＳ中のサブフレームが使用され得る。ＵＥについて強い干渉を受けるＰＤＳ中のサブフレームは、制御チャネルがＵＥに到達するために、大きいＰＤＣＣＨアグリゲーションレベルまたは新しい制御チャネルの使用を必要とすることがある。
【００６８】
図８に、キャリアアグリゲーションでデバイスに割り当てられ得る例示的なキャリア構成８００および８０２を示す。たとえば、キャリア構成８００は、ＴＤＤキャリア８０４とＦＤＤキャリア８０６とを含む。上記で説明したように、たとえば、ＦＤＤキャリア８０６は、ＦＤＤキャリアにおいてアップリンク通信が一般に利用可能である、すなわち、ＦＤＤコンポーネントキャリア中のすべてのサブフレームが一般にアップリンク構成要素を有するので、８０８におけるサブフレーム０および１など、多くのサブフレームにおいてアップリンク制御通信のためにＰＣＣとして使用され得る。ＦＤＤコンポーネントキャリア８０６のみが、サブフレーム０および１についてアップリンク制御通信のために利用され得るサブフレームを含んでいるので、ＦＤＤコンポーネントキャリア８０６はＰＣＣとして使用され得る。ＦＤＤコンポーネントキャリアのみがアップリンク制御通信のために利用され得るサブフレームを含んでいる場合、ＦＤＤコンポーネントキャリアはＰＣＣとして使用され得る。一方、ＴＤＤコンポーネントキャリア８０４とＦＤＤコンポーネントキャリア８０６の両方がアップリンク制御通信のために利用され得るサブフレームでは、ＰＣＣの選択はＲＲＣ構成に基づき得る。たとえば、ＴＤＤキャリア８０４は、点線パターンによって示されるように８１０におけるサブフレーム２および３がアップリンク制御通信のために利用され得るので、サブフレーム２および３のためなど、いくつかのアップリンク制御通信のために利用され得る。説明したように、これは、明示的に、あるいは、キャリア８０４および８０６のインデックスまたは優先順位を比較すること（たとえば、最も低いセルインデックスをもつコンポーネントキャリアを選択すること）など、ＰＣＣを判断するための１つまたは複数の命令として、レイヤ３または他のＲＲＣレイヤシグナリングを介して構成され得る。キャリア構成８０２は、２つのＴＤＤキャリア８１２および８１４を含む。たとえば、ＴＤＤキャリア８１２は、上記の表１からＴＤＤ構成インデックス１を使用することができ、ＴＤＤキャリア８１４はＴＤＤ構成インデックス３を使用する。この例では、ＰＣＣは、８１６におけるＴＤＤキャリア８１２のサブフレーム２および３、および８１８におけるＴＤＤキャリア８１４のサブフレーム４、８２０におけるＴＤＤキャリア８１２のサブフレーム７および８においてなど、少なくとも１つのキャリア８１２および／または８１４がアップリンク送信のために利用可能であるサブフレームにおいて与えられる。８１６において、両方のＴＤＤコンポーネントキャリア８１２、８１４がアップリンク送信のために利用可能なサブフレームを有する場合、ＴＤＤキャリアは、説明したように、ＲＲＣシグナリング、および／またはＲＲＣシグナリングを介して受信された１つまたは複数の命令に少なくとも部分的に基づいて選択され得る。ＰＣＣを有する所与のサブフレームは、説明したように、ＰＵＳと呼ばれることがあり、ＰＣＣは所与のＰＵＳについて変化することができる。８１８におけるＴＤＤコンポーネントキャリア８１４のサブフレーム４など、ただ１つのＴＤＤコンポーネントキャリアがアップリンク送信のために利用可能なサブフレームを有する場合、ＴＤＤコンポーネントキャリア８１４中のサブフレーム８１４がＰＵＳになる。
【００６９】
図９に、ＨＡＲＱ通信をスケジュールするための例示的なキャリア構成９００および９０２を示す。キャリア構成９００は、ＦＤＤダウンリンク（ＤＬ）キャリア９０４と、ＴＤＤキャリア９０６と、ＦＤＤアップリンク（ＵＬ）キャリア９０８とを備える。図示のように、ＴＤＤキャリア９０６とＦＤＤ  ＵＬキャリア９０８との間で、各サブフレームのためにアップリンク送信が利用可能である。したがって、ＦＤＤ  ＤＬキャリア９０４上で受信された通信のＨＡＲＱフィードバックは、９１０におけるサブフレーム４、５、および６など、いくつかのサブフレーム中でＦＤＤ  ＵＬキャリア９０８にマッピングされ得、また、９１２におけるサブフレーム７および８など、アップリンク送信が可能にされた他のサブフレーム中でＴＤＤキャリア９０６にマッピングされ得る。所与のＰＵＳのためのＰＣＣは、説明したように、ＰＣＣに関するレイヤ３ＲＲＣシグナリング、ＰＣＣを判断するための命令などに少なくとも部分的に基づいて判断され得る。キャリア構成９０２は、２つのＴＤＤキャリア９１４および９１６を備え、ＴＤＤコンポーネントキャリア９１４は、表１からのダウンリンク／アップリンク構成インデックス１で構成され、ＴＤＤコンポーネントキャリア９１６は、表１からのダウンリンク／アップリンク構成インデックス２で構成される。この構成９０２では、ＴＤＤキャリア９１４がＰＣＣとして選択されたとき、複数のサブフレームのためのフィードバックは、９１８におけるサブフレーム２および３中で関係する制御データを送信するためにアグリゲートされ得る。同様に、少なくともＴＤＤキャリア９１４がアップリンク通信のために利用可能でないので、ＴＤＤキャリア９１６がＰＣＣとして選択された場合、追加のサブフレームのための制御データは、９２０におけるサブフレーム４中での送信のためにアグリゲートされ得る。
【００７０】
図１０に、アグリゲートキャリア上で通信するためのアップリンクキャリアとダウンリンクキャリアとを判断するための例示的なキャリア構成１０００を示す。キャリア構成１０００は、ＦＤＤ  ＤＬキャリア１００２と、ＴＤＤキャリア１００４と、ＦＤＤ  ＵＬキャリア１００６とを含む。この例では、ＨＡＲＱフィードバックは、様々なＰＵＳ中で上記の図９に関して示したようにマッピングされ得る。さらに、しかしながら、ダウンリンクデータを送信するために利用可能なキャリアに少なくとも部分的に基づいて、ダウンリンクキャリアが、データを通信することについて同様に判断され得る。したがって、図示のように、ＴＤＤキャリア１００４は、１００８におけるサブフレーム０および１中でダウンリンク送信を搬送するために利用可能であるので、それらのサブフレーム中でＤＬデータを通信するためのＰＣＣであり得るが、ＦＤＤ  ＤＬキャリア１００２は、少なくともＴＤＤキャリア１００４がダウンリンク通信のために利用不可能であるので、１０１０におけるサブフレーム２および３中でＤＬデータを通信するために使用され得る。たとえば、ＦＤＤ  ＤＬキャリア１００２とＴＤＤキャリア１００４の両方が（たとえば、１００８におけるサブフレーム０および１において）ＤＬデータを通信するために利用可能である場合、説明したように、両方のキャリアが利用され得、および／またはＲＲＣシグナリングに従って一方のキャリアがＰＣＣとして選択され得る。ＤＬキャリアが機会主義的にそれのために割り当てられるサブフレームは、ＰＤＳと呼ばれることがある。
【００７１】
図１１および図１３〜図１６を参照すると、アグリゲートキャリアの制御データを通信することに関係する例示的な方法が示されている。説明を簡単にするために、方法を一連の行為として図示し説明するが、いくつかの行為は、１つまたは複数の実施形態によれば、異なる順序でおよび／または他の行為と同時に行われ得るので、方法は行為の順序によって限定されないことを理解および諒解されたい。たとえば、方法は、状態図など、一連の相互に関係する状態またはイベントとして代替的に表現され得ることを諒解されたい。その上、１つまたは複数の実施形態による方法を実施するために、図示のすべての行為が必要とされるとは限らない。
【００７２】
図１１に、複数のアグリゲートキャリアの制御情報を通信するための例示的な方法１１００を示す。１１０２において、複数のアグリゲートキャリアのための１つまたは複数の割当てを受信する。説明したように、複数のアグリゲートキャリアのうちの少なくとも１つは、複数のアグリゲートキャリアのうちの少なくとも別の１つとは異なるサブフレーム構成を有するＴＤＤキャリアであり得る。たとえば、複数のキャリアは、追加のＴＤＤキャリアおよび／または１つまたは複数のＦＤＤキャリアを備えることができる。１１０４において、複数のアグリゲートキャリアのサブフレーム利用可能性に少なくとも部分的に基づいて、アグリゲートキャリアの制御情報をその上で通信すべき複数のアグリゲートキャリアのうちの１つを判断する。たとえば、これは、１つのキャリア（たとえば、ＰＣＣ）を、複数のアグリゲートキャリアのうちのすべてとしてアップリンク送信のために利用可能なサブフレームのスーパーセットを有するキャリアとして判断することを含むことができる。別の例では、これは、所与のサブフレーム中で制御情報を通信するためにそのサブフレーム中でキャリアを動的に判断することを含むことができる。これは、サブフレーム中でアップリンク送信のために利用可能なキャリアを判断することに少なくとも部分的に基づくことができる。いずれかのシナリオにおいて複数のキャリアが利用可能である場合、どのキャリアを選択すべきかに関するシグナリング、キャリアを選択すること（たとえば、最も低いインデックスまたは最も高い優先順位をもつキャリアを選択すること）に関する命令などを受信することに基づいて、キャリアが選択され得る。１１０６において、複数のアグリゲートキャリアのうちの１つの上で少なくとも１つのサブフレームを介して複数のアグリゲートキャリアの制御情報を通信する。たとえば、ステップ１１０６は、ステップ１１０４なしに行われ得、その場合、キャリア選択は、ハードコーディングされるか、または場合によっては構成中で受信され、キャリアをＰＣＣとして使用する効果は上記で説明した通りである。
【００７３】
本明細書で説明する１つまたは複数の態様によれば、説明したように、（たとえば、所与のサブフレームまたはそれ以外について）どのキャリアをＰＣＣとして選択すべきかを判断することなどに関する推論が行われ得ることを諒解されよう。本明細書で使用する「推論する」または「推論」という用語は、概して、イベントおよび／またはデータを介して捕捉された観察のセットから、システム、環境、および／またはユーザの状態について推理する、またはその状態を推論するプロセスを指す。推論は、特定のコンテキストまたはアクションを識別するために採用され得、あるいは、たとえば、状態の確率分布を生成することができる。推論は、確率的、すなわち、データおよびイベントの考察に基づく当該の状態の確率分布の計算であり得る。推論は、イベントおよび／またはデータのセットからより高いレベルのイベントを構成するために採用される技法を指すこともある。そのような推論から、イベントが時間的に緊切して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【００７４】
図１２を参照すると、１つまたは複数のアグリゲートキャリアのための制御情報を通信するシステム１２００が示されている。たとえば、システム１２００は、ＵＥとして、あるいはＵＥ内で使用するためのプロセッサ、構成要素、または同様のデバイスとして構成され得る。システム１２００は機能ブロックを含むものとして表されており、それらの機能ブロックは、プロセッサ、ソフトウェア／ファームウェアなどによって実装される機能を表す機能ブロックであり得ることを諒解されたい。システム１２００は、連携して動作することができる構成要素（たとえば、電気的構成要素）の論理グルーピング１２０２を含む。たとえば、論理グルーピング１２０２は、複数のアグリゲートキャリアのための１つまたは複数の割当てを受信する電気的構成要素１２０４を含むことができる。構成要素１２０４は、たとえば、ネットワークインターフェース（たとえば、送信機、受信機、トランシーバ）などと、１つまたは複数の割当てを受信するための命令をもつメモリとに結合された、少なくとも１つの制御プロセッサを含むことができる。たとえば、少なくとも１つのキャリアは、複数のアグリゲートキャリアのうちの少なくとも別の１つとは異なるサブフレーム構成を有するＴＤＤキャリアであり得る。たとえば、複数のキャリアは、追加のＴＤＤキャリアおよび／または１つまたは複数のＦＤＤキャリアを備えることができる。さらに、論理グルーピング１２０２は、複数のアグリゲートキャリアのサブフレーム利用可能性に少なくとも部分的に基づいて、アグリゲートキャリアの制御情報をその上で通信すべき複数のアグリゲートキャリアのうちの１つを判断するための電気的構成要素１２０５を含むことができる。さらに、論理グルーピング１２０２は、複数のアグリゲートキャリアのうちの１つの上で複数のアグリゲートキャリアの制御情報を少なくとも１つのサブフレームを介して通信するための電気的構成要素１２０６を含むことができる。構成要素１２０６は、たとえば、ネットワークインターフェース（たとえば、送信機、受信機、トランシーバ）などと、制御情報を通信するための命令をもつメモリとに結合された、少なくとも１つの制御プロセッサを含むことができる。説明したように、１つまたは複数のシナリオによれば、１つのキャリア（たとえば、ＰＣＣ）は、制御情報を通信するために使用され得る。
【００７５】
たとえば、このキャリアは、すべての利用可能なキャリアに関係するサブフレームのアップリンク送信のために利用可能なそれらのサブフレームのスーパーセットを有するキャリアであり得る。別の例では、このキャリアはＦＤＤキャリアであり得る。その上、このキャリアは、１つまたは複数のキャリアがアップリンク送信のために利用可能である場合、シグナリング、インデックス、優先順位などに従って判断され得る。このキャリアは、説明したように、ハードコーディングまたは構成で選択されおよび／または割り当てられ得る。たとえば、電気的構成要素１２０４は、上記で説明したように、キャリア割当て受信構成要素７０８を含むことができる。さらに、たとえば、電気的構成要素１２０６は、説明したように、制御データ通信構成要素７１２を含むことができる。
【００７６】
関係する態様では、ＵＥとして構成されたシステム１２００の場合、システム１２００は、場合によっては、少なくとも１つのプロセッサを有するプロセッサ構成要素１２１０を含むことができる。プロセッサ１２１０は、そのような場合、バス１２１４または同様の通信結合を介して構成要素１２０４〜１２０６または同様の構成要素と動作可能に通信することができる。プロセッサ１２１０は、電気的構成要素またはモジュール１２０４〜１２０６によって実行される処理または機能の起動とスケジューリングとを実施することができる。
【００７７】
さらなる関連する態様では、システム１２００は、他のネットワークエンティティと通信するためのネットワークインターフェース構成要素１２１２を含むことができる。システム１２００は、場合によっては、たとえば、メモリデバイス／構成要素１２０８など、情報を記憶するための構成要素を含むことができる。コンピュータ可読媒体またはメモリ構成要素１２０８は、バス１２１４などを介してシステム１２００の他の構成要素に動作可能に結合され得る。メモリ構成要素１２０８は、構成要素１２０４〜１２０６、およびそれらの副構成要素、またはプロセッサ１２１０、または本明細書で開示する他の方法のアクティビティを実行するための、コンピュータ可読命令とデータとを記憶するように適応され得る。メモリ構成要素１２０８は、構成要素１２０４〜１２０６に関連する機能を実行するための命令を保持することができる。メモリ１２０８の外部にあるものとして示されているが、構成要素１２０４〜１２０６はメモリ１２０８の内部に存在することができることを理解されたい。
【００７８】
図１３に、キャリアをＰＣＣとして選択するための例示的な方法１３００を示す。１３０５において、複数のアグリゲートキャリアのための１つまたは複数の割当てを受信する。１３１０において、複数のアグリゲートキャリアのうちの１つが、他のアグリゲートキャリアのためのアップリンクサブフレームのスーパーセットであるアップリンクサブフレームで構成されているかどうかを判断する。そうである場合、１３１５において、他のアグリゲートキャリアのためのアップリンクサブフレームのスーパーセットであるアップリンクサブフレームで構成されたキャリア上でアグリゲートキャリアの制御データを通信する。そうでない場合、１３２０において、ＲＲＣ構成（たとえば、セルインデックスまたは優先順位）に基づいてアグリゲートキャリアの制御データを通信するためにキャリアを１次キャリアとして選択する。１３２５において、次いで、選択された１次キャリアを有するＰＵＳ上でアグリゲートキャリアの制御データを送信する。
【００７９】
図１４に、アグリゲートキャリアの制御データを通信するための例示的な方法１４００を示す。１４０５において、複数のアグリゲートキャリアのための１つまたは複数の割当てを受信する。１４１０において、複数のアグリゲートキャリアのうちの１つが、他のアグリゲートキャリアのためのダウンリンクサブフレームのスーパーセットであるダウンリンクサブフレームで構成されているかどうかを判断する。そうである場合、１４１５において、他のアグリゲートキャリアのためのダウンリンクサブフレームのスーパーセットであるダウンリンクサブフレームで構成されたキャリア上でアグリゲートキャリアの制御データを通信する。そうでない場合、１４２０において、ＲＲＣ構成（たとえば、セルインデックスまたは優先順位）に基づいてアグリゲートキャリアの制御データを通信するためにキャリアを１次キャリアとして選択する。１４２５において、次いで、選択された１次キャリアを有するＰＤＳ上でアグリゲートキャリアの制御データを送信する。
【００８０】
図１５に、複数のキャリアの制御データを通信するための例示的な方法１５００を示す。１５０５において、複数のアグリゲートキャリアのための１つまたは複数の割当てを受信する。１５１０において、ワークロードに基づいてアグリゲートキャリアの制御データを通信するためにキャリアを１次キャリアとして選択する。たとえば、ワークロードは、各キャリアについて判断され得、最も低いワークロードまたはしきい値レベルに対して最も低いワークロードをもつキャリアが制御データのために使用され得る。これは、たとえば、フレームごとにおよび／またはキャリアのタイプごとに変わり得る。１５１５において、次いで、選択された１次キャリアを有するＰＤＳ上でアグリゲートキャリアの制御データを送信する。
【００８１】
図１６に、アグリゲートキャリアの制御データを通信するための例示的な方法１６００を示す。１６０５において、複数のアグリゲートキャリアのための１つまたは複数の割当てを受信する。１６１０において、ワークロードに基づいてアグリゲートキャリアのＨＡＲＱデータを通信するためにキャリアを１次キャリアとして選択する。たとえば、ワークロードは、各キャリアについて判断され得、最も低いワークロードまたはしきい値レベルに対して最も低いワークロードをもつキャリアが制御データのために使用され得る。これは、たとえば、フレームごとにおよび／またはキャリアのタイプごとに変わり得る。１６１５において、次いで、アグリゲートキャリアのＨＡＲＱデータを、選択された１次キャリアを有するＰＤＳにマッピングする。１６２０において、選択された１次キャリアを有するＰＤＳ上でアグリゲートキャリアのＨＡＲＱデータを送信する。
【００８２】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８３】
さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【００８４】
本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８５】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００８６】
１つまたは複数の例示的な設計では、説明した機能は、ハードウェア、ソフトウェア、ファームウェア、または任意のそれらの組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含めるべきである。
【００８７】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に、本願出願の当初の特許請求の範囲に記載された発明を付記する。
［Ｃ１］  アグリゲートキャリアの制御情報を通信するための方法であって、
複数のアグリゲートキャリアのための１つまたは複数の割当てを受信することであって、前記複数のアグリゲートキャリアのうちの少なくとも１つが、前記複数のアグリゲートキャリアのうちの少なくとも別の１つとは異なるサブフレーム構成を有する時分割複信（ＴＤＤ）キャリアである、受信することと、
前記複数のアグリゲートキャリアのサブフレーム利用可能性に少なくとも部分的に基づいて、前記複数のアグリゲートキャリアの制御情報をその上で通信すべき前記複数のアグリゲートキャリアのうちの１つを判断することと、
前記複数のアグリゲートキャリアのうちの前記判断された１つの上で前記複数のアグリゲートキャリアの前記制御情報を少なくとも１つのサブフレームを介して通信することとを備える方法。
［Ｃ２］  前記複数のアグリゲートキャリアのうちの前記１つを前記判断することは、
前記複数のアグリゲートキャリア中のキャリアが、前記複数のアグリゲートキャリア中の残りのキャリアの追加のアップリンクサブフレームのスーパーセットであるアップリンクサブフレームを含むかどうかを判断することと、
前記キャリアが前記アップリンクサブフレームを含むと判断されると、前記キャリアを、前記制御情報をその上で通信すべき前記複数のアグリゲートキャリアのうちの前記１つとして選択することとを備える、Ｃ１に記載の方法。
［Ｃ３］  前記複数のアグリゲートキャリアが少なくとも１つの周波数分割複信（ＦＤＤ）キャリアをも備える、Ｃ２に記載の方法。
［Ｃ４］  前記複数のアグリゲートキャリアのうちの前記１つを前記判断することが、前記少なくとも１つのＦＤＤキャリアを、制御情報をその上で通信すべき前記複数のアグリゲートキャリアのうちの前記１つとして選択することを備える、Ｃ３に記載の方法。
［Ｃ５］  サブフレーム中で受信されたダウンリンク送信の数を備えるダウンリンク割当てインデックスを受信することをさらに備える、Ｃ４に記載の方法。
［Ｃ６］  前記複数のアグリゲートキャリアのうちの前記１つを前記判断することは、
前記複数のアグリゲートキャリア中のキャリアが前記少なくとも１つのサブフレーム中にアップリンク送信のために利用可能であるかどうかを判断することと、
前記キャリアがアップリンク送信のために利用可能であると判断されると、前記キャリアを、制御情報をその上で通信すべき前記複数のアグリゲートキャリアのうちの前記１つとして選択することとを備える、Ｃ１に記載の方法。
［Ｃ７］  前記複数のアグリゲートキャリアのうちの前記１つを前記判断することは、前記複数のアグリゲートキャリアのうちの残りのキャリアが前記少なくとも１つのサブフレーム中にアップリンク送信のために利用可能であるかどうかを判断することをさらに備える、Ｃ６に記載の方法。
［Ｃ８］  前記複数のアグリゲートキャリアのうちの前記１つを前記判断することが、前記少なくとも１つのサブフレーム中にアップリンク送信のために利用可能である前記残りのキャリア上で前記複数のアグリゲートキャリアのうちの前記１つを選択するための受信された指示および／または命令に少なくとも部分的に基づく、Ｃ７に記載の方法。
［Ｃ９］  前記複数のアグリゲートキャリアのうちの前記１つを前記判断することが、前記複数のアグリゲートキャリアのうちの各キャリアの優先順位またはインデックスを比較することに少なくとも部分的にさらに基づく、Ｃ７に記載の方法。
［Ｃ１０］  前記複数のアグリゲートキャリアのうちの前記１つを前記判断することが、無線リソース構成にさらに基づく、Ｃ１に記載の方法。
［Ｃ１１］  前記複数のアグリゲートキャリアのうちの前記１つを前記判断することが、ワークロードにさらに基づく、Ｃ１に記載の方法。
［Ｃ１２］  前記複数のアグリゲートキャリアのうちの前記判断された１つに前記複数のアグリゲートキャリアのＨＡＲＱデータをマッピングすることをさらに備える、Ｃ１に記載の方法。
［Ｃ１３］  前記少なくとも１つのサブフレーム中で制御情報をその上で通信すべき前記複数のアグリゲートキャリアのうちの別の１つを判断することをさらに備え、前記複数のアグリゲートキャリアのうちの前記別の１つを前記判断することは、
前記複数のアグリゲートキャリア中のキャリアが前記少なくとも１つのサブフレーム中にダウンリンク送信のために利用可能であるかどうかを判断することと、
前記キャリアがダウンリンク送信のために利用可能であると判断されると、前記キャリアを、前記制御情報をその上で通信すべき前記複数のアグリゲートキャリアのうちの前記別の１つとして選択することとを備える、Ｃ６に記載の方法。
［Ｃ１４］  アップリンク送信のために利用可能な前記複数のアグリゲートキャリアのうちの前記判断された１つが、ダウンリンク送信のために利用可能な前記複数のアグリゲートキャリアのうちの前記判断された別の１つとは異なる、Ｃ１３に記載の方法。
［Ｃ１５］  前記少なくとも１つのサブフレームが少なくとも２つのサブフレームを備え、前記複数のアグリゲートキャリアのうちの前記１つを前記判断することが、第１のサブフレーム中の通信について判断することを備え、前記複数のアグリゲートキャリアのうちの前記別の１つを前記判断することが、第２のサブフレーム中の通信について判断することを備える、Ｃ１３に記載の方法。
［Ｃ１６］  アグリゲートキャリアの制御情報を通信するための装置であって、
複数のアグリゲートキャリアのための１つまたは複数の割当てを受信するための手段であって、前記複数のアグリゲートキャリアのうちの少なくとも１つが、前記複数のアグリゲートキャリアのうちの少なくとも別の１つとは異なるサブフレーム構成を有する時分割複信（ＴＤＤ）キャリアである、受信するための手段と、
前記複数のアグリゲートキャリアのサブフレーム利用可能性に少なくとも部分的に基づいて、前記複数のアグリゲートキャリアの制御情報をその上で通信すべき前記複数のアグリゲートキャリアのうちの１つを判断するための手段と、
前記複数のアグリゲートキャリアのうちの前記判断された１つの上で前記複数のアグリゲートキャリアの前記制御情報を少なくとも１つのサブフレームを介して通信するための手段とを備える装置。
［Ｃ１７］  前記複数のアグリゲートキャリアのうちの前記１つを判断するための前記手段は、
前記複数のアグリゲートキャリア中のキャリアが、前記複数のアグリゲートキャリア中の残りのキャリアの追加のアップリンクサブフレームのスーパーセットであるアップリンクサブフレームを含むかどうかを判断することと、
前記キャリアが前記アップリンクサブフレームを含むと判断されると、前記キャリアを、前記制御情報をその上で通信すべき前記複数のアグリゲートキャリアのうちの前記１つとして選択することとを行うように構成された、Ｃ１６に記載の装置。
［Ｃ１８］  前記複数のアグリゲートキャリアが少なくとも１つの周波数分割複信（ＦＤＤ）キャリアを備える、Ｃ１７に記載の装置。
［Ｃ１９］  前記複数のアグリゲートキャリアのうちの前記１つを判断するための前記手段が、前記少なくとも１つのＦＤＤキャリアを、制御情報をその上で通信すべき前記複数のアグリゲートキャリアのうちの前記１つとして選択するように構成された、Ｃ１８に記載の装置。
［Ｃ２０］  受信するための前記手段が、サブフレーム中で受信されたダウンリンク送信の数を備えるダウンリンク割当てインデックスを受信するように構成された、Ｃ１９に記載の装置。
［Ｃ２１］  前記複数のアグリゲートキャリアのうちの前記１つを判断するための前記手段は、
前記複数のアグリゲートキャリア中のキャリアが前記少なくとも１つのサブフレーム中にアップリンク送信のために利用可能であるかどうかを判断することと、
前記キャリアがアップリンク送信のために利用可能であると判断されると、前記キャリアを、制御情報をその上で通信すべき前記複数のアグリゲートキャリアのうちの前記１つとして選択することとを行うように構成された、Ｃ１６に記載の装置。
［Ｃ２２］  前記複数のアグリゲートキャリアのうちの前記１つを判断するための前記手段は、前記複数のアグリゲートキャリアのうちの残りのキャリアが前記少なくとも１つのサブフレーム中にアップリンク送信のために利用可能であるかどうかに少なくとも部分的にさらに基づいて判断するように構成された、Ｃ２１に記載の装置。
［Ｃ２３］  前記複数のアグリゲートキャリアのうちの前記１つを判断するための前記手段が、前記少なくとも１つのサブフレーム中にアップリンク送信のために利用可能である前記残りのキャリア上で前記複数のアグリゲートキャリアのうちの前記１つを選択するための受信された指示および／または命令に少なくとも部分的にさらに基づいて判断するように構成された、Ｃ２２に記載の装置。
［Ｃ２４］  前記複数のアグリゲートキャリアのうちの前記１つを判断するための前記手段が、前記複数のアグリゲートキャリアのうちの各キャリアの優先順位またはインデックスを比較することに少なくとも部分的によってさらに判断するように構成された、Ｃ２２に記載の装置。
［Ｃ２５］  前記複数のアグリゲートキャリアのうちの前記１つを判断するための前記手段が、無線リソース構成にさらに基づいて判断するように構成された、Ｃ１６に記載の装置。
［Ｃ２６］  前記複数のアグリゲートキャリアのうちの前記１つを判断するための前記手段が、ワークロードにさらに基づいて判断するように構成された、Ｃ１６に記載の装置。
［Ｃ２７］  前記複数のアグリゲートキャリアのうちの前記判断された１つに前記複数のアグリゲートキャリアのＨＡＲＱデータをマッピングするための手段をさらに備える、Ｃ１６に記載の装置。
［Ｃ２８］  前記少なくとも１つのサブフレーム中で制御情報をその上で通信すべき前記複数のアグリゲートキャリアのうちの別の１つを判断するための手段をさらに備え、前記複数のアグリゲートキャリアのうちの前記別の１つを判断するための前記手段は、
前記複数のアグリゲートキャリア中のキャリアが前記少なくとも１つのサブフレーム中にダウンリンク送信のために利用可能であるかどうかを判断することと、
前記キャリアがダウンリンク送信のために利用可能であると判断されると、前記キャリアを、前記制御情報をその上で通信すべき前記複数のアグリゲートキャリアのうちの前記別の１つとして選択することとを行うように構成された、Ｃ２１に記載の装置。
［Ｃ２９］  アップリンク送信のために利用可能な前記複数のアグリゲートキャリアのうちの前記判断された１つが、ダウンリンク送信のために利用可能な前記複数のアグリゲートキャリアのうちの前記判断された別の１つとは異なる、Ｃ２８に記載の装置。
［Ｃ３０］  前記少なくとも１つのサブフレームが少なくとも２つのサブフレームを備え、前記複数のアグリゲートキャリアのうちの前記１つを判断するための前記手段が、第１のサブフレーム中の通信について判断するように構成され、前記複数のアグリゲートキャリアのうちの前記別の１つを判断するための前記手段が、第２のサブフレーム中の通信について判断するように構成された、Ｃ２８に記載の装置。
［Ｃ３１］  複数のアグリゲートキャリアのための１つまたは複数の割当てを受信することをコンピュータに行わせるためのコードであって、前記複数のアグリゲートキャリアのうちの少なくとも１つが、前記複数のアグリゲートキャリアのうちの少なくとも別の１つとは異なるサブフレーム構成を有する時分割複信（ＴＤＤ）キャリアである、コードと、
前記複数のアグリゲートキャリアのサブフレーム利用可能性に少なくとも部分的に基づいて、前記複数のアグリゲートキャリアの制御情報をその上で通信すべき前記複数のアグリゲートキャリアのうちの１つを判断することを前記コンピュータに行わせるためのコードと、
前記複数のアグリゲートキャリアのうちの前記判断された１つの上で前記複数のアグリゲートキャリアの前記制御情報を少なくとも１つのサブフレームを介して通信することを前記コンピュータに行わせるためのコードとを備える非一時的コンピュータ可読記憶媒体。
［Ｃ３２］  前記複数のアグリゲートキャリアのうちの前記１つを判断することを前記コンピュータに行わせるための前記コードは、
前記複数のアグリゲートキャリア中のキャリアが、前記複数のアグリゲートキャリア中の残りのキャリアの追加のアップリンクサブフレームのスーパーセットであるアップリンクサブフレームを含むかどうかを判断することと、
前記キャリアが前記アップリンクサブフレームを含むと判断されると、前記キャリアを、前記制御情報をその上で通信すべき前記複数のアグリゲートキャリアのうちの前記１つとして選択することとを前記コンピュータに行わせるためのコードを備える、Ｃ３１に記載の非一時的コンピュータ可読記憶媒体。
［Ｃ３３］  前記複数のアグリゲートキャリアが少なくとも１つの周波数分割複信（ＦＤＤ）キャリアを備える、Ｃ３２に記載の非一時的コンピュータ可読記憶媒体。
［Ｃ３４］  前記複数のアグリゲートキャリアのうちの前記１つを判断することを前記コンピュータに行わせるための前記コードが、前記少なくとも１つのＦＤＤキャリアを、制御情報をその上で通信すべき前記複数のアグリゲートキャリアのうちの前記１つとして選択することを前記コンピュータに行わせるためのコードを備える、Ｃ３３に記載の非一時的コンピュータ可読記憶媒体。
［Ｃ３５］  サブフレーム中で受信されたダウンリンク送信の数を備えるダウンリンク割当てインデックスを受信することを前記コンピュータに行わせるためのコードをさらに備える、Ｃ３４に記載の非一時的コンピュータ可読記憶媒体。
［Ｃ３６］  前記複数のアグリゲートキャリアのうちの前記１つを判断することを前記コンピュータに行わせるための前記コードは、
前記複数のアグリゲートキャリア中のキャリアが前記少なくとも１つのサブフレーム中にアップリンク送信のために利用可能であるかどうかを判断することと、
前記キャリアがアップリンク送信のために利用可能であると判断されると、前記キャリアを、制御情報をその上で通信すべき前記複数のアグリゲートキャリアのうちの前記１つとして選択することとを前記コンピュータに行わせるためのコードを備える、Ｃ２５に記載の非一時的コンピュータ可読記憶媒体。
［Ｃ３７］  前記複数のアグリゲートキャリアのうちの前記１つを判断することを前記コンピュータに行わせるための前記コードは、前記複数のアグリゲートキャリアのうちの残りのキャリアが前記少なくとも１つのサブフレーム中にアップリンク送信のために利用可能であるかどうかに少なくとも部分的にさらに基づいて判断することを前記コンピュータに行わせるためのコードを備える、Ｃ３０に記載の非一時的コンピュータ可読記憶媒体。
［Ｃ３８］  前記複数のアグリゲートキャリアのうちの前記１つを判断することを前記コンピュータに行わせるための前記コードが、前記少なくとも１つのサブフレーム中にアップリンク送信のために利用可能である前記残りのキャリア上で前記複数のアグリゲートキャリアのうちの前記１つを選択するための受信された指示および／または命令に少なくとも部分的にさらに基づいて判断することを前記コンピュータに行わせるためのコードを備える、Ｃ３１に記載の非一時的コンピュータ可読記憶媒体。
［Ｃ３９］  前記複数のアグリゲートキャリアのうちの前記１つを判断することを前記コンピュータに行わせるための前記コードが、前記複数のアグリゲートキャリアのうちの各キャリアの優先順位またはインデックスを比較することに少なくとも部分的によってさらに判断することを前記コンピュータに行わせるためのコードを備える、Ｃ３１に記載の非一時的コンピュータ可読記憶媒体。
［Ｃ４０］  前記複数のアグリゲートキャリアのうちの前記１つを判断することを前記コンピュータに行わせるための前記コードが、無線リソース構成にさらに基づいて判断することを前記コンピュータに行わせるためのコードを備える、Ｃ３１に記載の非一時的コンピュータ可読記憶媒体。
［Ｃ４１］  前記複数のアグリゲートキャリアのうちの前記１つを判断することを前記コンピュータに行わせるための前記コードが、ワークロードにさらに基づいて判断することを前記コンピュータに行わせるためのコードを備える、Ｃ３１に記載の非一時的コンピュータ可読記憶媒体。
［Ｃ４２］  前記複数のアグリゲートキャリアのうちの前記判断された１つに前記複数のアグリゲートキャリアのＨＡＲＱデータをマッピングすることを前記コンピュータに行わせるためのコードをさらに備える、Ｃ３１に記載の非一時的コンピュータ可読記憶媒体。
［Ｃ４３］  前記少なくとも１つのサブフレーム中で制御情報をその上で通信すべき前記複数のアグリゲートキャリアのうちの別の１つを判断することを前記コンピュータに行わせるためのコードをさらに備え、前記複数のアグリゲートキャリアのうちの前記別の１つを判断することを前記コンピュータに行わせるための前記コードは、
前記複数のアグリゲートキャリア中のキャリアが前記少なくとも１つのサブフレーム中にダウンリンク送信のために利用可能であるかどうかを判断することと、
前記キャリアがダウンリンク送信のために利用可能であると判断されると、前記キャリアを、前記制御情報をその上で通信すべき前記複数のアグリゲートキャリアのうちの前記別の１つとして選択することとを前記コンピュータに行わせるためのコードを備える、Ｃ３６に記載の非一時的コンピュータ可読記憶媒体。
［Ｃ４４］  アップリンク送信のために利用可能な前記複数のアグリゲートキャリアのうちの前記判断された１つが、ダウンリンク送信のために利用可能な前記複数のアグリゲートキャリアのうちの前記判断された別の１つとは異なる、Ｃ４３に記載の非一時的コンピュータ可読記憶媒体。
［Ｃ４５］  前記少なくとも１つのサブフレームが少なくとも２つのサブフレームを備え、前記複数のアグリゲートキャリアのうちの前記１つを判断することを前記コンピュータに行わせるための前記コードが、第１のサブフレーム中の通信について判断することを前記コンピュータに行わせるためのコードを備え、前記複数のアグリゲートキャリアのうちの前記別の１つを判断することを前記コンピュータに行わせるための前記コードが、第２のサブフレーム中の通信について判断することを前記コンピュータに行わせるためのコードを備える、Ｃ４３に記載の非一時的コンピュータ可読記憶媒体。
［Ｃ４６］  少なくとも１つのプロセッサと、
前記少なくとも１つのプロセッサに結合されたメモリと
を備える、アグリゲートキャリアの制御情報を通信するためのユーザ機器（ＵＥ）であって、前記少なくとも１つのプロセッサは、
複数のアグリゲートキャリアのための１つまたは複数の割当てを受信することであって、前記複数のアグリゲートキャリアのうちの少なくとも１つが、前記複数のアグリゲートキャリアのうちの少なくとも別の１つとは異なるサブフレーム構成を有する時分割複信（ＴＤＤ）キャリアである、受信することと、
前記複数のアグリゲートキャリアのサブフレーム利用可能性に少なくとも部分的に基づいて、前記複数のアグリゲートキャリアの制御情報をその上で通信すべき前記複数のアグリゲートキャリアのうちの１つを判断することと、
前記複数のアグリゲートキャリアのうちの前記判断された１つの上で前記複数のアグリゲートキャリアの前記制御情報を少なくとも１つのサブフレームを介して通信することとを行うように構成された、ＵＥ。
［Ｃ４７］  前記複数のアグリゲートキャリアのうちの前記１つを前記判断することは、
前記複数のアグリゲートキャリア中のキャリアが、前記複数のアグリゲートキャリア中の残りのキャリアの追加のアップリンクサブフレームのスーパーセットであるアップリンクサブフレームを含むかどうかを判断することと、
前記キャリアが前記アップリンクサブフレームを含むと判断されると、前記キャリアを、前記制御情報をその上で通信すべき前記複数のアグリゲートキャリアのうちの前記１つとして選択することとを備える、Ｃ４６に記載のＵＥ。
［Ｃ４８］  前記複数のアグリゲートキャリアが少なくとも１つの周波数分割複信（ＦＤＤ）キャリアを備える、Ｃ４７に記載のＵＥ。
［Ｃ４９］  前記複数のアグリゲートキャリアのうちの前記１つを判断することが、前記少なくとも１つのＦＤＤキャリアを、制御情報をその上で通信すべき前記複数のアグリゲートキャリアのうちの前記１つとして選択することを備える、Ｃ４８に記載のＵＥ。
［Ｃ５０］  前記少なくとも１つのプロセッサが、サブフレーム中で受信されたダウンリンク送信の数を備えるダウンリンク割当てインデックスを受信するようにさらに構成された、Ｃ４９に記載のＵＥ。
［Ｃ５１］  前記複数のアグリゲートキャリアのうちの前記１つを前記判断することは、
前記複数のアグリゲートキャリア中のキャリアが前記少なくとも１つのサブフレーム中にアップリンク送信のために利用可能であるかどうかを判断することと、
前記キャリアがアップリンク送信のために利用可能であると判断されると、前記キャリアを、制御情報をその上で通信すべき前記複数のアグリゲートキャリアのうちの前記１つとして選択することとを備える、Ｃ４６に記載のＵＥ。
［Ｃ５２］  前記複数のアグリゲートキャリアのうちの前記１つを判断することは、前記複数のアグリゲートキャリアのうちの残りのキャリアが前記少なくとも１つのサブフレーム中にアップリンク送信のために利用可能であるかどうかに少なくとも部分的にさらに基づいて判断することを備える、Ｃ５１に記載のＵＥ。
［Ｃ５３］  前記複数のアグリゲートキャリアのうちの前記１つを判断することが、前記少なくとも１つのサブフレーム中にアップリンク送信のために利用可能である前記残りのキャリア上で前記複数のアグリゲートキャリアのうちの前記１つを選択するための受信された指示および／または命令に少なくとも部分的にさらに基づいて判断することを備える、Ｃ５２に記載のＵＥ。
［Ｃ５４］  前記複数のアグリゲートキャリアのうちの前記１つを判断することが、前記複数のアグリゲートキャリアのうちの各キャリアの優先順位またはインデックスを比較することに少なくとも部分的によってさらに判断することを備える、Ｃ５２に記載のＵＥ。
［Ｃ５５］  前記複数のアグリゲートキャリアのうちの前記１つを判断することが、無線リソース構成にさらに基づいて判断することを備える、Ｃ４６に記載のＵＥ。
［Ｃ５６］  前記複数のアグリゲートキャリアのうちの前記１つを判断することが、ワークロードにさらに基づいて判断することを備える、Ｃ４６に記載のＵＥ。
［Ｃ５７］  前記少なくとも１つのプロセッサが、前記複数のアグリゲートキャリアのうちの前記判断された１つに前記複数のアグリゲートキャリアのＨＡＲＱデータをマッピングするようにさらに構成された、Ｃ４６に記載のＵＥ。
［Ｃ５８］  前記少なくとも１つのプロセッサが、前記少なくとも１つのサブフレーム中で制御情報をその上で通信すべき前記複数のアグリゲートキャリアのうちの別の１つを判断するようにさらに構成され、前記複数のアグリゲートキャリアのうちの前記別の１つを前記判断することは、
前記複数のアグリゲートキャリア中のキャリアが前記少なくとも１つのサブフレーム中にダウンリンク送信のために利用可能であるかどうかを判断することと、
前記キャリアがダウンリンク送信のために利用可能であると判断されると、前記キャリアを、前記制御情報をその上で通信すべき前記複数のアグリゲートキャリアのうちの前記別の１つとして選択することとを備える、Ｃ５１に記載のＵＥ。
［Ｃ５９］  アップリンク送信のために利用可能な前記複数のアグリゲートキャリアのうちの前記判断された１つが、ダウンリンク送信のために利用可能な前記複数のアグリゲートキャリアのうちの前記判断された別の１つとは異なる、Ｃ５８に記載のＵＥ。
［Ｃ６０］  前記少なくとも１つのサブフレームが少なくとも２つのサブフレームを備え、前記複数のアグリゲートキャリアのうちの前記１つを判断することが、第１のサブフレーム中の通信について判断することを備え、前記複数のアグリゲートキャリアのうちの前記別の１つを判断することが、第２のサブフレーム中の通信について判断することを備える、Ｃ５８に記載のＵＥ。
［Ｃ６１］  アグリゲートキャリアの制御情報を通信するためのワイヤレス通信デバイスであって、
プロセッサと、
前記プロセッサと電子通信しているメモリと、
前記メモリに記憶された命令であって、前記命令は、
複数のアグリゲートキャリアのための１つまたは複数の割当てを受信することであって、前記複数のアグリゲートキャリアのうちの少なくとも１つが、前記複数のアグリゲートキャリアのうちの少なくとも別の１つとは異なるサブフレーム構成を有する時分割複信（ＴＤＤ）キャリアである、受信することと、
前記複数のアグリゲートキャリアのサブフレーム利用可能性に少なくとも部分的に基づいて、前記複数のアグリゲートキャリアの制御情報をその上で通信すべき前記複数のアグリゲートキャリアのうちの１つを判断することと、
前記複数のアグリゲートキャリアのうちの前記判断された１つの上で前記複数のアグリゲートキャリアの前記制御情報を少なくとも１つのサブフレームを介して通信することと
を行うように前記プロセッサによって実行可能である、命令と
を備えるワイヤレス通信デバイス。
［Ｃ６２］  前記複数のアグリゲートキャリアのうちの前記１つを判断するように前記プロセッサによって実行可能な前記命令は、
前記複数のアグリゲートキャリア中のキャリアが、前記複数のアグリゲートキャリア中の残りのキャリアの追加のアップリンクサブフレームのスーパーセットであるアップリンクサブフレームを含むかどうかを判断することと、
前記キャリアが前記アップリンクサブフレームを含むと判断されると、前記キャリアを、前記制御情報をその上で通信すべき前記複数のアグリゲートキャリアのうちの前記１つとして選択することとを行うための命令を備える、Ｃ６１に記載のワイヤレス通信デバイス。
［Ｃ６３］  前記複数のアグリゲートキャリアが少なくとも１つの周波数分割複信（ＦＤＤ）キャリアを備える、Ｃ６２に記載のワイヤレス通信デバイス。
［Ｃ６４］  前記複数のアグリゲートキャリアのうちの前記１つを判断するように前記プロセッサによって実行可能な前記命令が、前記少なくとも１つのＦＤＤキャリアを、制御情報をその上で通信すべき前記複数のアグリゲートキャリアのうちの前記１つとして選択するための命令を備える、Ｃ６３に記載のワイヤレス通信デバイス。
［Ｃ６５］  前記命令が、サブフレーム中で受信されたダウンリンク送信の数を備えるダウンリンク割当てインデックスを受信するように前記プロセッサによってさらに実行可能である、Ｃ６４に記載のワイヤレス通信デバイス。
［Ｃ６６］  前記複数のアグリゲートキャリアのうちの前記１つを判断するように前記プロセッサによって実行可能な前記命令は、
前記複数のアグリゲートキャリア中のキャリアが前記少なくとも１つのサブフレーム中にアップリンク送信のために利用可能であるかどうかを判断することと、
前記キャリアがアップリンク送信のために利用可能であると判断されると、前記キャリアを、制御情報をその上で通信すべき前記複数のアグリゲートキャリアのうちの前記１つとして選択することとを行うための命令を備える、Ｃ６１に記載のワイヤレス通信デバイス。
［Ｃ６７］  前記複数のアグリゲートキャリアのうちの前記１つを判断するように前記プロセッサによって実行可能な前記命令は、前記複数のアグリゲートキャリアのうちの残りのキャリアが前記少なくとも１つのサブフレーム中にアップリンク送信のために利用可能であるかどうかに少なくとも部分的にさらに基づいて判断するための命令を備える、Ｃ６６に記載のワイヤレス通信デバイス。
［Ｃ６８］  前記複数のアグリゲートキャリアのうちの前記１つを判断するように前記プロセッサによって実行可能な前記命令が、前記少なくとも１つのサブフレーム中にアップリンク送信のために利用可能である前記残りのキャリア上で前記複数のアグリゲートキャリアのうちの前記１つを選択するための受信された指示および／または命令に少なくとも部分的にさらに基づいて判断するための命令を備える、Ｃ６７に記載のワイヤレス通信デバイス。
［Ｃ６９］  前記複数のアグリゲートキャリアのうちの前記１つを判断するように前記プロセッサによって実行可能な前記命令が、前記複数のアグリゲートキャリアのうちの前記１つの優先順位またはインデックスを前記複数のアグリゲートキャリアのうちの前記残りのキャリアと比較することに少なくとも部分的によってさらに判断するための命令を備える、Ｃ６７に記載のワイヤレス通信デバイス。
［Ｃ７０］  前記複数のアグリゲートキャリアのうちの前記１つを判断するように前記プロセッサによって実行可能な前記命令が、無線リソース構成にさらに基づいて判断するための命令を備える、Ｃ６１に記載のワイヤレス通信デバイス。
［Ｃ７１］  前記複数のアグリゲートキャリアのうちの前記１つを判断するように前記プロセッサによって実行可能な前記命令が、ワークロードにさらに基づいて判断するための命令を備える、Ｃ６１に記載のワイヤレス通信デバイス。
［Ｃ７２］  前記命令が、前記複数のアグリゲートキャリアのうちの前記判断された１つに前記複数のアグリゲートキャリアのＨＡＲＱデータをマッピングするように前記プロセッサによってさらに実行可能である、Ｃ６１に記載のワイヤレス通信デバイス。
［Ｃ７３］  前記命令が、前記少なくとも１つのサブフレーム中で制御情報をその上で通信すべき前記複数のアグリゲートキャリアのうちの別の１つを判断するように前記プロセッサによってさらに実行可能であり、前記複数のアグリゲートキャリアのうちの前記別の１つを判断するように前記プロセッサによって実行可能な前記命令は、
前記複数のアグリゲートキャリア中のキャリアが前記少なくとも１つのサブフレーム中にダウンリンク送信のために利用可能であるかどうかを判断することと、
前記キャリアがダウンリンク送信のために利用可能であると判断されると、前記キャリアを、前記制御情報をその上で通信すべき前記複数のアグリゲートキャリアのうちの前記別の１つとして選択することとを行うための命令を備える、Ｃ６６に記載のワイヤレス通信デバイス。
［Ｃ７４］  アップリンク送信のために利用可能な前記複数のアグリゲートキャリアのうちの前記判断された１つが、ダウンリンク送信のために利用可能な前記複数のアグリゲートキャリアのうちの前記判断された別の１つとは異なる、Ｃ７３に記載のワイヤレス通信デバイス。
［Ｃ７５］  前記少なくとも１つのサブフレームが少なくとも２つのサブフレームを備え、前記複数のアグリゲートキャリアのうちの前記１つを判断するように前記プロセッサによって実行可能な前記命令が、第１のサブフレーム中の通信について判断するための命令を備え、前記複数のアグリゲートキャリアのうちの前記別の１つを判断するように前記プロセッサによって実行可能な命令が、第２のサブフレーム中の通信について判断するための命令を備える、Ｃ７３に記載のワイヤレス通信デバイス。
【図１】
0005784835.tif 000004
【図２】
0005784835.tif 000005
【図３】
0005784835.tif 000006
【図４Ａ】
0005784835.tif 000007
【図４Ｂ】
0005784835.tif 000008
【図５】
0005784835.tif 000009
【図６】
0005784835.tif 000010
【図７】
0005784835.tif 000011
【図８】
0005784835.tif 000012
【図９】
0005784835.tif 000013
【図１０】
0005784835.tif 000014
【図１１】
0005784835.tif 000015
【図１２】
0005784835.tif 000016
【図１３】
0005784835.tif 000017
【図１４】
0005784835.tif 000018
【図１５】
0005784835.tif 000019
【図１６】
0005784835.tif 000020